(57)【要約】コンテンツに対する閲覧、視聴又は購入等の意欲を向上させることのできる情報通信装置、サーバ及びコンテンツ提示方法を提供すること。  コンテンツ制御手段４０が開示情報管理手段５０に登録された制限データの開示状態を取得し、出力手段７０へ通知して表示手段８０への通知内容を制御することによって、コンテンツデータに開示が制限された制限データがあることを予め通知し、制限データに対する期待感を持たせて、コンテンツデータの閲覧、視聴又は購入等の意欲を促進させることができる。
2007052373.tif 000002
【特許請求の範囲】
【請求項１】
サーバからコンテンツデータを取得する情報通信装置において、
前記コンテンツデータに、開示が制限された制限データが含まれているか否かを判定するコンテンツ解析手段と、
前記制限データが含まれているとの判定がなされた場合、前記制限データを開示するための条件が満たされているか否かを判定するコンテンツ制御手段と、
前記コンテンツ制御手段の指示に基づき、前記制限データの開示状態を通知する通知手段とを有し、
前記通知手段は、前記コンテンツデータに予め設定された通知形式に従って、前記制限データの開示状態を通知することを特徴とする情報通信装置。
【請求項２】
前記通知形式は、表示、振動又は鳴動のうちのいずれかであり、
前記通知手段は、前記制限データの前記開示状態を前記通知形式に従って通知することを特徴とする請求項１記載の情報通信装置。
【請求項３】
前記条件は、前記制限データが含まれるコンテンツデータと同一のコンテンツデータに関連付けられており、
前記コンテンツ制御手段は、前記条件を満たしているか否かを判定することを特徴とする請求項１記載の情報通信装置。
【請求項４】
前記条件は、前記制限データが含まれるコンテンツデータと異なるコンテンツデータに関連付けられており、
前記コンテンツ制御手段は、前記条件を満たしているか否かを判定することを特徴とする請求項１記載の情報通信装置。
【請求項５】
前記通知手段は、前記コンテンツ制御手段で前記条件を満たすとの判定がなされたときに、前記制限データが開示されたことを前記サーバに通知することを特徴とする請求項１又は２記載の情報通信装置。
【請求項６】
コンテンツデータを格納するサーバにおいて、
前記コンテンツデータに、開示が制限された制限データが含まれているか否かを判定するコンテンツ解析手段と、
前記制限データが含まれているとの判定がなされた場合、前記制限データを開示するための条件が満たされているか否かを判定するコンテンツ制御手段と、
前記コンテンツ制御手段の指示に基づき、前記制限データの開示状態を通知する通知手段とを有し、
前記通知手段は、前記コンテンツデータに予め設定された通知形式に従って、前記制限データの開示状態を通知することを特徴とするサーバ。
【請求項７】
コンテンツデータに、開示が制限された制限データが含まれているか否かを判定するコンテンツ解析ステップと、
前記制限データが含まれているとの判定がなされた場合、前記制限データを開示するための条件が満たされているか否かを判定するコンテンツ制御ステップと、
前記コンテンツ制御ステップでの判定結果に基づき、前記制限データの開示状態を通知する通知ステップとを有し、
前記通知ステップは、前記コンテンツデータに予め設定された通知形式に従って、前記制限データの開示状態を通知することを特徴とするコンテンツ提示方法。
【請求項８】
前記通知形式は、表示、振動又は鳴動のうちのいずれかであり、
前記通知ステップは、前記制限データの前記開示状態を前記通知形式に従って通知することを特徴とする請求項７記載のコンテンツ提示方法。
【発明の詳細な説明】
【技術分野】
【０００１】  本発明は、コンテンツデータの閲覧や配信等を行う情報通信装置、サーバ及びコンテンツ提示方法に関するものである。
【背景技術】
【０００２】  昨今、インターネットサービスが普及して、テキスト、画像、音楽及び動画等のコンテンツがＷｅｂ上に多数存在し、パソコン、ＰＤＡ（Ｐｅｒｓｏｎａｌ  Ｄｉｇｉｔａｌ  Ａｓｓｉｓｔａｎｃｅ）や携帯電話機等の情報通信装置を用いて、ユーザは多種多様な情報を取得することができるようになった。【０００３】  こうしたなか、コンテンツの提供者は、多数存在するコンテンツの中で、自身が提供するコンテンツに対して、ユーザに興味を持たせて閲覧、視聴又は購入等をさせることが容易ではない状況にある。【０００４】  従来の懸賞応募受付方法は、所定のＷｅｂページの閲覧を懸賞応募受付の条件としており、ユーザに対して強制的にコンテンツの閲覧を行わせている（例えば、特許文献１参照）。
【特許文献１】特開２００３−９１６１５号公報
【発明の開示】
【発明が解決しようとする課題】
【０００５】  しかしながら、上記方法では、ユーザは受動的に所定のＷｅｂページを閲覧しなければならないため、そのＷｅｂページに対して興味を持たずに閲覧している場合が往々にしてあるといった課題があった。【０００６】  本発明は、従来の問題を解決するためになされたもので、コンテンツデータに開示が制限された特別な情報が含まれていることをユーザに予め認識させることで、コンテンツデータの閲覧、視聴又は購入等の意欲を促進させることのできる情報通信装置、サーバ及びコンテンツ提示方法を提供することを目的とする。
【課題を解決するための手段】
【０００７】  本発明の情報通信装置は、サーバからコンテンツデータを取得する情報通信装置であり、前記コンテンツデータに、開示が制限された制限データが含まれているか否かを判定するコンテンツ解析手段と、前記制限データが含まれているとの判定がなされた場合、前記制限データを開示するための条件が満たされているか否かを判定するコンテンツ制御手段と、前記コンテンツ制御手段の指示に基づき、前記制限データの開示状態を通知する通知手段とを有し、前記通知手段は、前記コンテンツデータに予め設定された通知形式に従って、前記制限データの開示状態を通知する構成を有する。【０００８】  この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。また、この構成により、コンテンツデータの提供側は、コンテンツデータに制限データが含まれていることをユーザに対して効果的に認識させる通知形式を自由に設定することができる。【０００９】  また、本発明の情報通信装置は、前記通知形式が、表示、振動又は鳴動のうちのいずれかであり、前記通知手段が、前記制限データの前記開示状態を前記通知形式に従って通知する構成を有する。【００１０】  この構成により、アイコンイメージ、振動強弱、音によって、コンテンツデータに制限データが含まれているか否かをユーザに容易に認識させることができる。【００１１】  また、本発明の情報通信装置は、前記条件が、前記制限データが含まれるコンテンツデータと同一のコンテンツデータに関連付けられており、前記コンテンツ制御手段が、前記条件を満たしているか否かを判定する構成を有する。【００１２】  この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。【００１３】  また、本発明の情報通信装置は、前記条件が、前記制限データが含まれるコンテンツデータと異なるコンテンツデータに関連付けられており、前記コンテンツ制御手段が、前記条件を満たしているか否かを判定する構成を有する。【００１４】  この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。【００１５】  また、本発明の情報通信装置は、前記通知手段は、前記コンテンツ制御手段で前記条件を満たすとの判定がなされたときに、前記制限データが開示されたことを前記サーバに通知する構成を有する。【００１６】  この構成により、サーバは、制限データの開示状況を同期的に把握でき、開示率の低い制限データを開示するためのヒント等の情報を情報通信装置へ配信したり、開示するまでの時間に応じたユーザランキング等を配信したりすることができる。【００１７】  また、本発明のサーバは、コンテンツデータを格納するサーバであり、前記コンテンツデー��に、開示が制限された制限データが含まれているか否かを判定するコンテンツ解析手段と、前記制限データが含まれているとの判定がなされた場合、前記制限データを開示するための条件が満たされているか否かを判定するコンテンツ制御手段と、前記コンテンツ制御手段の指示に基づき、前記制限データの開示状態を通知する通知手段とを有し、前記通知手段は、前記コンテンツデータに予め設定された通知形式に従って、前記制限データの開示状態を通知する構成を有する。【００１８】  この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。また、この構成により、コンテンツデータの提供側は、コンテンツデータに制限データが含まれていることをユーザに対して効果的に認識させる通知形式を自由に設定することができる。【００１９】  また、本発明のコンテンツ提示方法は、コンテンツデータに、開示が制限された制限データが含まれているか否かを判定するコンテンツ解析ステップと、前記制限データが含まれているとの判定がなされた場合、前記制限データを開示するための条件が満たされているか否かを判定するコンテンツ制御ステップと、前記コンテンツ制御ステップでの判定結果に基づき、前記制限データの開示状態を通知する通知ステップとを有し、前記通知ステップは、前記コンテンツデータに予め設定された通知形式に従って、前記制限データの開示状態を通知する。【００２０】  この方法により、開示が制限された制限データの開示状態をユーザに通知し、コンテンツデータに制限データが含まれていることを認識させることで、制限データに対する期待感を持たせて、閲覧、視聴又は購入等の意欲を促進させることができる。【００２１】  また、本発明のコンテンツ提示方法は、前記通知形式が、表示、振動又は鳴動のうちのいずれかであり、前記通知ステップが、前記制限データの前記開示状態を前記通知形式に従って通知する。【００２２】  この方法により、アイコンイメージ、振動強弱、音によって、コンテンツデータに制限データが含まれているか否かをユーザに容易に認識させることができる。
【発明の効果】
【００２３】  本発明は、コンテンツデータに制限データが含まれていることを予め通知し、制限データに対する期待感を持たせて、コンテンツデータの閲覧、視聴又は購入等の意欲を促進させることができる情報通信装置、サーバ及びコンテンツ提示方法を提供することができるものである。
【図面の簡単な説明】
【００２４】
【図１】本発明の実施の形態１における携帯電話機１０の構成を示すブロック図
【図２】本発明の実施の形態１におけるコンテンツデータのデータフォーマットを示す図
【図３】本発明の実施の形態１における携帯電話機１０の処理手順を示すフローチャート
【図４】本発明の実施の形態１における携帯電話機１０の処理手順を示すフローチャート
【図５】本発明の実施の形態１における携帯電話機１０の処理手順を示すフローチャート
【図６】本発明の実施の形態１における開示情報管理手段５０に登録されているコンテンツデータＡの開示情報を示す図
【図７】本発明の実施の形態１における携帯電話機１０の処理手順を示すフローチャート
【図８】本発明の実施の形態１において制限データの開示状態が非開示である場合にコンテンツデータの一覧表示を行ったときの画面例を示す図
【図９】本発明の実施の形態１において制限データの開示状態が非開示である場合にコンテンツデータＡの表示を行ったときの画面例を示す図
【図１０】本発明の実施の形態１における開示情報管理手段５０に登録されているコンテンツデータＡの開示情報を示す図
【図１１】本発明の実施の形態１において制限データの開示状態が開示である場合にコンテンツデータの一覧表示を行ったときの画面例を示す図
【図１２】本発明の実施の形態１において制限データの開示状態が開示である場合にコンテンツデータＡの表示を行ったときの画面例を示す図
【図１３】本発明の実施の形態２におけるコンテンツサーバ１００の構成を示すブロック図
【図１４】本発明の実施の形態２における開示情報管理手段５０に登録されているコンテンツデータＢの開示情報を示す図
【図１５】本発明の実施の形態２における開示情報管理手段５０に登録されているコンテンツデータＢの開示情報を示す図
【図１６】本発明の実施の形態３における開示情報管理手段５０に登録されているコンテンツデータＣの開示情報を示す図
【図１７】本発明の実施の形態３において制限データの開示状態が非開示である場合にコンテンツデータの一覧表示を行ったときの画面例を示す図
【図１８】本発明の実施の形態３において制限データの開示状態が全て非開示である場合にコンテンツデータＣの表示を行ったときの画面例を示す図
【図１９】本発明の実施の形態３において制限データの開示状態が一部開示である場合にコンテンツデータＣの表示を行ったときの画面例を示す図
【図２０】本発明の実施の形態３において制限データの開示状態が全て開示である場合にコンテンツデータＣの表示を行ったときの画面例を示す図
【図２１】本発明の実施の形態３における開示情報管理手段５０に登録されているコンテンツデータＤの開示情報を示す図
【図２２】本発明の実施の形態３において制限データの開示状態が変化したときの画面例を示す図
【図２３】本発明の実施の形態３における開示情報管理手段５０に登録されているコンテンツデータＥ、Ｆ、Ｇの開示情報を示す図
【図２４】本発明の実施の形態３における開示情報管理手段５０に登録されているコンテンツデータＨ、Ｉ、Ｊの開示情報を示す図
【符号の説明】
【００２５】  １０  携帯電話機
２０  コンテンツ入力手段
３０  コンテンツ解析手段
４０  コンテンツ制御手段
５０  開示情報管理手段
６０  条件検出手段
７０  出力手段
８０  表示手段
９０  通信手段
１００  コンテンツサーバ
Ａ、Ｂ、Ｃ、Ｄ、Ｅ、Ｆ、Ｇ、Ｈ、Ｉ、Ｊ  コンテンツデータ
Ｒ２１１、Ｒ２１２、Ｒ２２１、Ｒ２２２、Ｒ２２３  レコード
Ｒ２２４、Ｒ２２５、Ｒ２３１、Ｒ２３２、Ｒ２４１  レコード
Ｒ６１１、Ｒ１０１１、Ｒ１４１１、Ｒ１５１１  レコード
Ｒ１６１１、Ｒ１６１２、Ｒ１６１３  レコード
Ｒ２１１１、Ｒ２１１２、Ｒ２１１３  レコード
Ｒ２３１１、Ｒ２３２１、Ｒ２３３１  レコード
Ｒ２４１１、Ｒ２４１２、Ｒ２４１３  レコード
Ｒ２４２１、Ｒ２４２２、Ｒ２４２３  レコード
Ｒ２４３１、Ｒ２４３２、Ｒ２４３３  レコード
【発明を実施するための最良の形態】
【００２６】  以下、本発明の実施の形態について、図面を用いて説明する。【００２７】  （実施の形態１）
本発明の実施の形態１は、情報通信装置が携帯電話機である場合を例にして説明する。【００２８】  図１は、本発明の実施の形態１における携帯電話機１０の構成を示すブロック図である。【００２９】  携帯電話機１０は、コンテンツ入力手段２０、コンテンツ解析手段３０、コンテンツ制御手段４０、開示情報管理手段５０、条件検出手段６０、出力手段７０及び表示手段８０から構成されている。【００３０】  コンテンツ入力手段２０は、携帯電話機１０の内部メモリ（図示せず）やメモリカード等の外部メモリ（図示せず）に記憶されているコンテンツデータを取得したり、インターネットやＬＡＮ等のネットワークを介してサーバ等からコンテンツデータを取得することができる。コンテンツ入力手段２０は、サーバや各メモリから取得したコンテンツデータを入力信号として、コンテンツ解析手段３０に対して送出する。【００３１】  コンテンツ解析手段３０は、コンテンツ入力手段２０から受信した入力信号の内容を解析し、開示が制限された制限データに関連付けられた開示条件、通知形式等の関連情報をコンテンツデータから抽出することができる。【００３２】  コンテンツ制御手段４０は、コンテンツ解析手段３０で抽出された開示条件等の開示情報を登録要求信号として開示情報管理手段５０に送出し、登録することができる。また、コンテンツ制御手段４０は、開示情報に含まれている開示条件を条件設定信号として条件検出手段６０に送出することで、開示条件が満たされたか否かの監視を要求することができる。また、コンテンツ制御手段４０は、条件検出手段６０から開示条件が満たされたことを示す条件結果信号を受信すると、開示情報管理手段５０に対して、更新要求信号を送出し、開示情報管理手段５０に記憶されている開示情報を更新することができる。また、コンテンツ制御手段４０は、開示情報管理手段５０に登録されている開示状態に基づいて、出力手段７０に開示状態通知信号を送出することができる。【００３３】  開示情報管理手段５０は、コンテンツ制御手段４０から登録要求信号を受信すると、登録要求信号に含まれる開示情報を記憶することができる。また、コンテンツ制御手段４０から更新要求信号を受信すると、更新要求信号の内容に従って、記憶されている開示状態を更新することができる。【００３４】  条件検出手段６０は、コンテンツ制御手段４０から条件設定信号を受信すると、条件設定信号に含まれる開示条件の監視を行う。また、条件検出手段６０は、開示条件が満たされたとき、条件結果信号をコンテンツ制御手段４０に対して送出する。【００３５】  出力手段７０は、コンテンツ解析手段３０から受信した制限データの通知形式や通知用データと、コンテンツ制御手段４０から受信した開示状態通知信号の内容とに基づいて、開示可否を示す通知信号を表示手段８０に対して送出する。【００３６】  表示手段８０は、通知手段の一つであり、出力手段７０から受信した通知信号の内容に従って、開示可否を示す表示を行うことで、コンテンツデータに含まれる制限データが開示されているか否かを通知することができる。なお、ここでは通知手段として、表示手段８０を例にして説明するが、これに限定されるものではなく、振動手段や鳴動手段によって、コンテンツデータに含まれる制限データが開示されているか否かを通知するようにしてもよい。【００３７】  図２は、本発明の実施の形態１におけるコンテンツデータのデータフォーマット例である。【００３８】  図示しているように、コンテンツデータＡは、通常データ部関連情報、制限データ部関連情報、通常データ部及び制限データ部から構成されている。【００３９】  通常データ部関連情報は、レコードＲ２１１とレコードＲ２１２とから構成されている。【００４０】  レコードＲ２１１は、コンテンツデータＡのタイトル名を示し、携帯電話機１０にてコンテンツデータの一覧を表示するときに表示される名前である。【００４１】  レコードＲ２１２は、コンテンツデータＡのコンテンツサイズを示す。【００４２】  次に、制限データ部関連情報は、レコードＲ２２１〜Ｒ２２５から構成されている。【００４３】  レコードＲ２２１は、コンテンツデータに制限データが含まれていることを通知する形式を示す。ここでは、アイコン等のイメージを表示して制限データが含まれていることを通知する形式が設定されているが、これに限定されず、バイブレーションによる振動強弱や振動間隔、ＬＥＤ・ＬＣＤ等の点滅や輝度変化、又はスピーカー等からの鳴動によって、制限データが含まれていることをユーザに通知するようにしてもよい。【００４４】  レコードＲ２２２は、制限データが開示されている状態であるときに通知する開示通知用データを示す。ここでは、制限データが開示されていることを示すアイコンの実データが格納されているものとする。【００４５】  レコードＲ２２３は、制限データが開示されていない状態であるときに通知する非開示通知用データを示す。ここでは、制限データが開示されてないことを示すアイコンの実データが格納されているものとする。【００４６】  レコードＲ２２４は、制限データを開示するための開示条件を示す。ここでは、メール受信回数が１０回に到達したとき、制限データを開示するよう指定されているものとする。開示条件としては、メール受信回数に限定されず、メール送信回数、音声着信回数、音声発信回数、電話帳登録件数、電波状態、電池残量又は日時情報等の携帯電話機に関連する各種情報や、コンテンツデータに関連するライセンス情報等を用いてもよい。【００４７】  レコードＲ２２５は、開示条件が満たされたときに開示する開示データを示す。ここでは、レコードＲ２２４に示す開示条件が満たされると、コンテンツデータＡの制限データが開示されるよう指定されている。【００４８】  次に、通常データ部は、レコードＲ２３１とＲ２３２とから構成されている。【００４９】  レコードＲ２３１は、コンテンツデータＡのデータ形式を示す。ここではデータ形式として、イメージを指定しているが、これに限定されるものではなく、テキスト、ムービー、又はミュージック等のデータ形式であってももちろんよい。【００５０】  レコードＲ２３２は、コンテンツデータＡの制限データが開示されていないとき、又はコンテンツデータＡが制限データを持たないときに出力される実データを示す。【００５１】  次に、制限データ部は、レコードＲ２４１で構成されている。【００５２】  レコードＲ２４���は、コンテンツデータＡの制限データが開示されたときに出力される実データを示す。ここで、制限データの開示とは、イメージ形式やテキスト形式の制限データを表示したり、ミュージック形式やムービー形式の制限データを再生したりすること等により、通常データでは表示又は再生等が妨げられていた箇所や、通常データでは得られなかった新たな付加情報を提供することをいう。【００５３】  なお、ここではレコードＲ２４１に制限データの実データを直接指定しているが、これに限定されるものではなく、レコードＲ２４１に制限データの取得先を示すＵＲＬ等を指定しておき、開示条件を満たしている場合には指定されたＵＲＬへ制限データを取得するようにしてもよい。【００５４】  図３及び図４は、本発明の実施の形態１における携帯電話機１０にコンテンツデータが保存されたときの処理手順を示すフローチャートである。【００５５】  図３において、コンテンツ入力手段２０は、サーバ等から取得したコンテンツデータが内部メモリに保存されたときに処理を開始する。【００５６】  コンテンツ入力手段２０は、処理を開始すると内部メモリからコンテンツデータを取得し、取得したコンテンツデータを入力信号として、コンテンツ解析手段３０に送出する（ステップＳ１）。【００５７】  次に、コンテンツ解析手段３０は、入力信号の内容を解析し、コンテンツデータに制限データが存在するか否かを判定する（ステップＳ２）。【００５８】  コンテンツデータに制限データが存在する場合（ステップＳ２、Ｙｅｓ）、コンテンツデータの制限データ部関連情報のうち、開示条件Ｒ２２４と開示データＲ２２５とを登録要求信号として、コンテンツ制御手段４０に送出する（ステップＳ３）。【００５９】  一方、コンテンツデータに制限データが存在しない場合（ステップＳ２、Ｎｏ）、コンテンツ解析手段３０は、コンテンツデータに開示条件が存在するか否かを判定する（ステップＳ４）。【００６０】  コンテンツデータに開示条件が存在する場合（ステップＳ４、Ｙｅｓ）、コンテンツ解析手段３０は、コンテンツデータの制限データ部関連情報のうち、開示条件Ｒ２２４と開示データＲ２２５とを登録要求信号として、コンテンツ制御手段４０に送出する（ステップＳ３）。【００６１】  一方、コンテンツデータに開示条件が存在しない場合（ステップＳ４、Ｎｏ）、処理を終了する。【００６２】  図４において、コンテンツ制御手段４０は、コンテンツ解析手段３０から登録要求信号を受信すると処理を開始する。【００６３】  コンテンツ制御手段４０は、処理を開始すると、登録要求信号に含まれる開示条件Ｒ２２４及び開示データＲ２２５と、既に開示情報管理手段５０の登録されている内容との関連性を判定する（ステップＳ５）。【００６４】  登録要求信号に含まれる内容と、既に開示情報管理手段５０に登録されている内容とに関連性がない場合（ステップＳ６、Ｎｏ）、コンテンツ制御手段４０は、開示情報管理手段５０に登録要求信号を送出し、開示条件Ｒ２２４、開示データＲ２２５、開示条件のクリア状態及び開示データの開示状態を新規登録する（ステップＳ７）。【００６５】  一方、登録要求信号に含まれる制限データ部関連情報の内容と、既に開示情��管理手段５０に登録されている内容とに関連性がある場合（ステップＳ６、Ｙｅｓ）、コンテンツ制御手段４０は、開示情報管理手段５０に登録要求信号を送出し、開示条件Ｒ２２４、開示データＲ２２５、開示条件のクリア状態及び開示データの開示状態を既に登録されている内容と関連付けて登録する（ステップＳ８）。【００６６】  次に、コンテンツ制御手段４０は、制御データ部関連情報の開示条件Ｒ２２４を条件設定信号として、条件検出手段６０に送出する（ステップＳ９）。【００６７】  図５は、本発明の実施の形態１における条件設定後の処理手順を示すフローチャートである。【００６８】  図５において、条件検出手段６０は、条件設定信号を受信すると処理を開始し、条件設定信号に含まれる制限データの開示条件が満たされているか否かを監視する（ステップＳ１０）。【００６９】  条件検出手段６０は、条件設定信号に含まれる開示条件が満たされたことを検出すると（ステップＳ１０、Ｙｅｓ）、コンテンツ制御手段４０に対して、開示条件が満たされたことを示す条件結果信号を送出する。開示条件が満たされたことを示す条件結果信号を受信したコンテンツ制御手段４０は、開示情報管理手段５０に対して、更新要求信号を送出し、登録内容を更新する（ステップＳ１１）。コンテンツ制御手段４０は、開示情報管理手段５０の登録内容を更新した後、処理を終了する。【００７０】  一方、条件検出手段６０は、条件設定手段に含まれる開示条件が満たされていない場合（ステップＳ１０、Ｎｏ）、再度、開示条件が満たされているか否かの監視を行う。【００７１】  ここで、図３〜図５におけるコンテンツデータが、図２に示すコンテンツデータＡである場合を例に前述のフローチャートを説明する。【００７２】  コンテンツ入力手段２０は、処理を開始すると、内部メモリからコンテンツデータＡを取得し、取得したコンテンツデータＡを入力信号として、コンテンツ解析手段３０に送出する。【００７３】  コンテンツ解析手段３０は、入力信号を受信すると、コンテンツデータＡの内容を解析し（ステップＳ１）、制限データが存在するか否かを判定する（ステップＳ２）。コンテンツデータＡには制限データが存在するため（ステップＳ２、Ｙｅｓ）、コンテンツデータＡのうち、開示条件Ｒ２２４及び開示データＲ２２５をコンテンツ制御手段４０に登録要求信号として送出する（ステップＳ３）。【００７４】  コンテンツ制御手段４０は、コンテンツ解析手段３０から登録要求信号を受信すると、開示情報管理手段５０に既に登録されている内容との関連性を判断する（ステップＳ５）。ここでは開示情報管理手段５０には何も登録されていないものとして（ステップＳ６、Ｎｏ）、開示情報管理手段５０にコンテンツデータＡの開示条件Ｒ２２４、開示データＲ２２５、開示条件のクリア状態及び開示データの開示状態を新規登録する（ステップＳ７）。【００７５】  次に、コンテンツ制御手段４０は、制御データ部関連情報の開示条件Ｒ２２４（メール受信回数１０回）を条件設定信号として、条件検出手段６０に送出する。これにより、条件検出手段６０は、メール受信回数が１０回に到達するまで監視を行う（ステップＳ９）。【００７６】  図６は、開示情報管���手段５０に登録されているコンテンツデータＡの開示情報を示す図である。【００７７】  開示情報管理手段５０には、開示データ、開示条件、開示条件のクリア状態及び開示データの開示状態がそれぞれ登録されている。【００７８】  開示条件のクリア状態及び開示データの開示状態は、メール受信回数が１０回を到達するまで変更されず、コンテンツ制御手段４０から更新要求信号を受信することで更新することができる。【００７９】  図７は、本発明の実施の形態１における携帯電話機１０において、コンテンツデータの一覧表示を行うときの処理手順を示すフローチャートである。【００８０】  図７において、コンテンツ入力手段２０は、コンテンツデータの一覧表示指示があると処理を開始する。【００８１】  コンテンツ入力手段２０は、処理を開始すると、内部メモリからコンテンツデータを順に取得し、取得したコンテンツデータを入力信号として、コンテンツ解析手段３０に送出する（ステップＳ１）。【００８２】  次に、コンテンツ解析手段３０は、入力信号の内容を解析し、コンテンツデータに制限データが存在するか否かを判定する（ステップＳ２）。また、コンテンツ解析手段３０は、入力信号の内容を解析し、コンテンツデータのタイトルＲ２１１、制限データの通知形式Ｒ２２１、開示通知用データＲ２２２及び非開示通知用データＲ２２３を抽出して、出力手段７０に対して送出する。【００８３】  コンテンツデータに制限データが存在しない場合（ステップＳ２、Ｎｏ）、コンテンツ解析手段３０は、出力手段７０に対して、通常表示指示信号を送出する（ステップＳ１２）。【００８４】  一方、コンテンツデータに制限データが存在する場合（ステップＳ２、Ｙｅｓ）、コンテンツ解析手段３０は、コンテンツ制御手段４０に対して、開示制御信号を送出する。コンテンツ制御手段４０は、開示制御信号を受信すると、開示情報管理手段６０に対して、開示状態取得信号を送出し、制限データの開示状態を取得する（ステップＳ１３）。【００８５】  取得した開示状態が非開示であれば（ステップＳ１４、Ｎｏ）、コンテンツ制御手段４０は、出力手段７０に対して、制限データの開示状態が非開示であることを示す開示状態通知信号を送出する（ステップＳ１５）。【００８６】  一方、取得した開示状態が開示であれば（ステップＳ１４、Ｙｅｓ）、コンテンツ制御手段４０は、出力手段７０に対して、制限データの開示状態が開示であることを示す開示状態通知信号を送出する（ステップＳ１６）。【００８７】  出力手段７０は、コンテンツ解析手段３０から通常表示指示信号を受信した場合、コンテンツデータのタイトルＲ２１１のみを通知信号として表示手段８０に送出する。また、出力手段７０は、コンテンツ制御手段４０から制限データの開示状態が非開示であることを示す開示状態通知信号を受信した場合、コンテンツデータのタイトルＲ２１１、制限データの通知形式Ｒ２２１及び非開示通知用データＲ２２３を通知信号として表示手段８０に送出する。また、出力手段７０は、コンテンツ制御手段４０から制限データの開示状態が開示であることを示す開示状態通知信号を受信した場合、コンテンツデータのタイトルＲ２１１、制限データの通知形式Ｒ２２１及び開示通知用データＲ２２２を通知信号として表示手段８０に送出する。【００８８】  表示手段８０は、出力手段７０から受信した通知信号の内容に従って、表示を行い（ステップＳ１７）、処理を終了する。【００８９】  ここで、図６に示すコンテンツデータＡの開示情報が開示情報管理手段５０に登録されている場合を例に、コンテンツデータの一覧表示を行うときの処理手順を説明する。【００９０】  コンテンツ入力手段２０は、コンテンツデータの一覧表示指示があると処理を開始し、内部メモリからコンテンツデータＡを取得して、取得したコンテンツデータＡを入力信号として、コンテンツ解析手段３０に送出する。【００９１】  次に、コンテンツ解析手段３０は、入力信号の内容を解析し（ステップＳ１）、コンテンツデータＡに制限データが存在するか否かを判定する（ステップＳ２）。ここでは、コンテンツデータＡに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＡのタイトルＲ２１１、制限データの通知形式Ｒ２２１、開示通知用データＲ２２２及び非開示通知用データＲ２２３を出力手段７０に対して送出する。【００９２】  コンテンツ制御手段４０は、開示制御信号を受信すると、開示情報管理手段６０に対して、開示状態取得信号を送出し、コンテンツデータＡの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。【００９３】  出力手段７０は、コンテンツ制御手段４０から制限データの開示状態が非開示であることを示す開示状態通知信号を受信すると、コンテンツデータＡのタイトルＲ２１１、制限データの通知形式Ｒ２２１及び非開示通知用データＲ２２３を通知信号として表示手段８０に送出する。【００９４】  表示手段８０は、出力手段７０から受信した通知信号の内容に従って、コンテンツデータＡのタイトルと、通知形式Ｒ２２１に指定されたイメージ形式による非開示通知用データＲ２２３の表示を行い（ステップＳ１７）、処理を終了する。【００９５】  図８（ａ）〜図８（ｄ）は、コンテンツデータＡに含まれる制限データの開示状態が非開示である場合に、コンテンツデータの一覧表示を行ったときの画面例である。【００９６】  図８（ａ）は、鍵状アイコンのイメージデータが、非開示通知用データとしてコンテンツデータＡに設定されていた場合の画面例である。鍵状アイコンのイメージデータが、閉錠していることから、制限データの開示状態が非開示であることを通知する。【００９７】  図８（ｂ）は、星状アイコンのイメージデータが、非開示通知用データとしてコンテンツデータＡに設定されていた場合の画面例である。星状アイコンのイメージデータが、塗りつぶされていることから、制限データの開示状態が非開示であることを通知する。【００９８】  図８（ｃ）は、コンテンツデータＡのうち、一部の開示が制限されてい��こと示すイメージデータが、非開示通知用データとして設定されていた場合の画面例である。開示が制限されている箇所の色等を変えて、制限データの一部が非開示であることを通知する。これは、特に、音楽データや動画データ等において、特定の再生位置の開示が制限されていることを示す場合に有効である。【００９９】  図８（ｄ）は、コンテンツデータＡのうち、一部の開示が制限されていること示すイメージデータが、非開示通知用データとして設定されていた場合の画面例である。これは、図８（ｃ）と同様に、音楽データや動画データ等において、特定の再生位置の開示が制限されていることを示す場合に有効である。【０１００】  次に、図８（ａ）〜図８（ｄ）に示すコンテンツデータの一覧表示から、コンテンツデータＡを表示するときの処理手順について、図７に示すフローチャートを用いて説明する。【０１０１】  コンテンツ入力手段２０は、コンテンツデータの表示指示があると処理を開始し、内部メモリからコンテンツデータＡを取得して、取得したコンテンツデータＡを入力信号として、コンテンツ解析手段３０に送出する。【０１０２】  次に、コンテンツ解析手段３０は、入力信号の内容を解析し（ステップＳ１）、コンテンツデータＡに制限データが存在するか否かを判定する（ステップＳ２）。ここでは、コンテンツデータＡに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＡの通常データ部に含まれるデータ形式Ｒ２３１及び実データＲ２３２と、制限データ部に含まれる実データＲ２４１とを出力手段７０に対して送出する。【０１０３】  コンテンツ制御手段４０は、開示制御信号を受信すると、開示情報管理手段６０に対して、開示状態取得信号を送出し、コンテンツデータＡの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。【０１０４】  出力手段７０は、コンテンツ制御手段４０から制限データの開示状態が非開示であることを示す開示状態通知信号を受信すると、コンテンツデータＡの通常データ部に含まれるデータ形式Ｒ２３１と実データＲ２３２とを通知信号として表示手段８０に送出する。【０１０５】  表示手段８０は、出力手段７０から受信した通知信号の内容に従って、データ形式Ｒ２３１に指定されたイメージ形式によって、通常データ部に含まれる実データＲ２４１の表示を行い（ステップＳ１７）、処理を終了する。【０１０６】  図９は、コンテンツデータＡに含まれる制限データの開示状態が非開示であるときに、コンテンツデータＡを表示した画面例である。【０１０７】  ここでは、制限データの開示状態が非開示であるため、イメージ形式のコンテンツデータＡは閲覧が制限されるようになっている。【０１０８】  図１０は、開示条件Ｒ２２４が満たされたことを条件検出手段６０が検出したときの、開示情報管理手段５０に登録されているコンテンツデータＡの開示情報を示す図である。【０１０９】  コンテンツ制御手段４０は、メール受信回数が１０回に到達したとき、条件検出手段６０から条件結果信号を受信し、開示情報管理手段５０に対して更新要求信号を送出することによって、開示条件のクリア状態及び開示データの開示状態をそれぞれ更新する。【０１１０】  ここで、図１０に示すコンテンツデータＡの開示情報が開示情報管理手段５０に登録されている場合に、コンテンツデータの一覧表示を行うときの処理手順を図７に示すフローチャートを用いて説明する。なお、コンテンツの解析等、前述した処理については説明を省略する。【０１１１】  コンテンツ制御手段４０は、制限データの開示状態を取得し（ステップＳ１３）、取得した開示状態が開示であるため（ステップＳ１４、Ｙｅｓ）、出力手段７０に対して、制限データの開示状態が開示であることを示す開示状態通知信号を送出する（ステップＳ１６）。【０１１２】  出力手段７０は、コンテンツ制御手段４０から制限データの開示状態が開示であることを示す開示状態通知信号を受信すると、コンテンツデータＡのタイトルＲ２１１、制限データの通知形式Ｒ２２１及び開示通知用データＲ２２２を通知信号として表示手段８０に送出する。【０１１３】  表示手段８０は、出力手段７０から受信した通知信号の内容に従って、コンテンツデータＡのタイトルと、通知形式Ｒ２２１に指定されたイメージ形式による開示通知用データＲ２２２の表示を行う（ステップＳ１７）。【０１１４】  図１１（ａ）〜（ｄ）は、コンテンツデータＡに含まれる制限データの開示状態が開示である場合に、コンテンツデータの一覧表示を行ったときの画面例である。【０１１５】  図１１（ａ）は、鍵状アイコンのイメージデータが、開示通知用データとしてコンテンツデータＡに設定されていた場合の画面例である。鍵状アイコンのイメージデータが、開錠していることから、制限データの開示状態が開示であることを通知する。【０１１６】  図１１（ｂ）は、星状アイコンのイメージデータが、開示通知用データとしてコンテンツデータＡに設定されていた場合の画面例である。星状アイコンのイメージデータが、塗りつぶされていないことから、制限データの開示状態が開示であることを通知する。【０１１７】  図１１（ｃ）は、コンテンツデータＡのうち、一部の制限が解除されていること示すイメージデータが、開示通知用データとして設定されていた場合の画面例である。制限が解除された箇所の色等を変えて、制限データの一部が開示されていることを通知する。これは、特に、音楽データや動画データ等において、特定の再生位置の開示が解除されたことを示す場合に有効である。【０１１８】  図１１（ｄ）は、コンテンツデータＡのうち、一部の制限が解除されていること示すイメージデータが、開示通知用データとして設定されていた場合の画面例である。これは、図１１（ｃ）と同様に、音楽データや動画データ等において、特定の再生位置の制限が解除されたことを示す場合に有効である。【０１１９】  次に、図１１（ａ）〜図１１（ｄ）に示すコンテンツデータの一覧表示から、コンテンツデータＡを表示するときの処理手順について、図７��示すフローチャートを用いて説明する。なお、コンテンツの解析等、前述した処理については説明を省略する。【０１２０】  コンテンツ制御手段４０は、制限データの開示状態を取得し（ステップＳ１３）、制限データの開示状態が開示であるため（ステップＳ１４、Ｙｅｓ）、出力手段７０に対して、制限データの開示状態が開示であることを示す開示状態通知信号を送出する（ステップＳ１６）。【０１２１】  出力手段７０は、コンテンツ制御手段４０から制限データの開示状態が開示であることを示す開示状態通知信号を受信すると、コンテンツデータＡの通常データ部に含まれるデータ形式Ｒ２３１と、制限データ部に含まれる実データＲ２４１とを通知信号として表示手段８０に送出する。【０１２２】  表示手段８０は、出力手段７０から受信した通知信号の内容に従って、データ形式Ｒ２３１に指定されたイメージ形式によって、制限データ部に含まれる実データＲ２４１の表示を行う（ステップＳ１７）。【０１２３】  図１２は、コンテンツデータＡに含まれる制限データの開示状態が開示であるときに、コンテンツデータＡを表示した画面例である。【０１２４】  制限データの開示状態が開示となったため、イメージ形式のコンテンツデータＡの全ての内容を閲覧することができる。【０１２５】  以上のように本発明の実施の形態１の携帯電話機１０によれば、コンテンツ制御手段４０がコンテンツデータに含まれた制限データの開示状態に基づいて、出力手段７０から表示手段８０への通知内容を制御することで、コンテンツ一覧表示時に、ユーザに対してコンテンツデータに制限データが含まれていることを予め認識させ、制限データに対する期待感を持たせて、コンテンツデータの閲覧、視聴又は購入等の意欲を促進させることができる。【０１２６】  （実施の形態２）
本発明の実施の形態２は、コンテンツデータの配信を行うコンテンツサーバである場合を例として説明する。【０１２７】  図１３は、本発明の実施の形態２におけるコンテンツサーバ１００の構成を示すブロック図である。なお、上記実施の形態１と同様の構成については、同じ参照符号を用い、重複した説明を省略する。【０１２８】  コンテンツサーバ１００は、コンテンツ入力手段２０、コンテンツ解析手段３０、コンテンツ制御手段４０、開示情報管理手段５０、条件検出手段６０、出力手段７０及び通信手段９０から構成されている。【０１２９】  通信手段９０は、インターネットやＬＡＮ等のネットワークを介して、携帯電話機等に対してコンテンツデータを配信することができる。【０１３０】  図１４は、本発明の実施の形態２におけるコンテンツサーバ１００の開示情報管理手段５０に登録されているコンテンツデータＢの開示情報を示す図である。【０１３１】  コンテンツデータＢの開示条件には、２００５年９月２０日午前０時以降が設定されている。ここで、コンテンツサーバ１００の保持する日時情報が２００５年９月１９日であったとして、開示条件のクリア状態にＮｏ、制限データの開示状態に非開示がそれぞれ設定されているものとする。【０１３２】  次に、図１４に示すコンテンツデータＢの開示情報が開示情報管理手段５０に登録されている場合を例に、コンテンツデータの一覧表示を行うときの処理手順を図７に示すフローチャートを用いて説明する。【０１３３】  コンテンツ入力手段２０は、コンテンツデータの一覧表示指示の要求が携帯電話機等からあると処理を開始し、内部メモリからコンテンツデータＢを取得して、取得したコンテンツデータＢを入力信号として、コンテンツ解析手段３０に送出する。【０１３４】  次に、コンテンツ解析手段３０は、入力信号の内容を解析し（ステップＳ１）、コンテンツデータＢに制限データが存在するか否かを判定する（ステップＳ２）。ここでは、コンテンツデータＢに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＢのタイトルＲ２１１、制限データの通知形式Ｒ２２１、開示通知用データＲ２２２及び非開示通知用データＲ２２３を出力手段７０に対して送出する。【０１３５】  コンテンツ制御手段４０は、開示制御信号を受信すると、開示情報管理手段６０に対して、開示状態取得信号を送出し、コンテンツデータＢの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。【０１３６】  出力手段７０は、コンテンツ制御手段４０から制限データの開示状態が非開示であることを示す開示状態通知信号を受信すると、コンテンツデータＢのタイトルＲ２１１、制限データの通知形式Ｒ２２１及び非開示通知用データＲ２２３を通知信号として通信手段９０に送出する。【０１３７】  通信手段９０は、出力手��７０から受信した通知信号の内容に従って、コンテンツデータＡのタイトルと、通知形式Ｒ２２１に指定されたイメージ形式による非開示通知用データＲ２２３とをＨＴＭＬ形式等によってネットワークを介して配信する（ステップＳ１７）。【０１３８】  図１５は、開示条件Ｒ２２４が満たされたことを条件検出手段６０が検出したときの、開示情報管理手段５０に登録されているコンテンツデータＢの開示情報を示す図である。【０１３９】  コンテンツ制御手段４０は、コンテンツサーバ１００の保持する日時情報が２００５年９月２０日午前０時を経過したとき、条件検出手段６０から条件結果信号を受信し、開示情報管理手段５０に対して更新要求信号を送出することによって、開示条件のクリア状態及び開示データの開示状態をそれぞれ更新する。【０１４０】  ここで、図１５に示すコンテンツデータＢの開示情報が開示情報管理手段５０に登録されている場合に、コンテンツデータの一覧表示を行うときの処理手順を説明する。なお、コンテンツの解析等、前述した処理については説明を省略する。【０１４１】  コンテンツ制御手段４０は、制限データの開示状態を取得し（ステップＳ１３）、取得した開示状態が開示であるため（ステップＳ１４、Ｙｅｓ）、出力手段７０に対して、制限データの開示状態が開示であることを示す開示状態通知信号を送出する（ステップＳ１６）。【０１４２】  出力手段７０は、コンテンツ制御手段４０から制限データの開示状態が開示であることを示す開示状態通知信号を受信すると、コンテンツデータＢのタイトルＲ２１１、制限データの通知形式Ｒ２２１及び開示通知用データＲ２２２を通知信号として通信手段９０に送出する。【０１４３】  通信手段９０は、出力手段７０から受信した通知信号の内容に従って、コンテンツデータＢのタイトルと、通知形式Ｒ２２１に指定されたイメージ形式による開示通知用データＲ２２２とをＨＴＭＬ形式等によってネットワークを介して配信する（ステップＳ１７）。【０１４４】  以上のように、本実施の形態２におけるコンテンツサーバ１００によれば、コンテンツ制御手段４０がコンテンツデータに含まれた制限データの開示状態に基づいて、出力手段７０から通信手段８０への通知内容を制御することで、ユーザがコンテンツデータ本体を取得する前に、コンテンツデータに制限データが含まれていることを予め認識させ、制限データに対する期待感を持たせて、コンテンツデータの閲覧、視聴又は購入等の意欲を促進させることができる。【０１４５】  なお、本実施の形態２におけるコンテンツサーバ１００は、上記コンテンツデータの一覧表示だけではなく、コンテンツデータ自体の表示を携帯電話機等から要求された場合も上記実施の形態１と同様に制限データの開示状態に基づいて配信することができる。【０１４６】  なお、また、本実施の形態２におけるコンテンツサーバ１００は、コンテンツ一覧表示やコンテンツデータ自体の表示を要求する携帯電話機等の端末状態を取得して、開示条件のクリア状態を判定するようにしてもよい。【０１４７】  （実施の形態３）
本発明の実施の形態３は、携帯電話機１０又はコンテンツサーバ１００に登録されている同一のコンテンツデータ内に複数の制限データを有している場合を例として説明する。【０１４８】  図１６は、本発明の実施の形態３における携帯電話機１０又はコンテンツサーバ１００の開示情報管理手段５０に登録されているコンテンツデータＣの開示情報を示す図である。【０１４９】  コンテンツデータＣは３つの制限データを有しており、それぞれの制限データを開示するための開示条件が設定されている。【０１５０】  図１７（ａ）〜（ｄ）は、図１６に示すように、コンテンツデータＣに含まれる３つの制限データの開示状態が非開示である場合に、コンテンツデータの一覧表示を指示されたときの画面例である。【０１５１】  図１７（ａ）は、鍵状アイコンのイメージデータが、非開示通知用データとしてコンテンツデータＣに設定されていた場合の画面例である。鍵状アイコンのイメージデータが、制限データ数だけ表示され、制限データの開示状態が非開示であることを通知している。１つの制限データの開示状態が開示に更新されると、その制限データに対応した開示通知用データ（例えば、開錠を示す鍵状アイコンのイメージデータ）が表示される。【０１５２】  図１７（ｂ）は、星状アイコンのイメージデータが、非開示通知用データとしてコンテンツデータＣに設定されていた場合の画面例である。星状アイコンのイメージデータが、制限データ数だけ表示され、制限データの開示状態が非開示であることを通知している。１つの制限データの開示状態が開示に更新されると、その制限データに対応した開示通知用データ（例えば、塗りつぶしなしの星状アイコンのイメージデータ）が表示される。【０１５３】  図１７（ｃ）は、コンテンツデータＣのうち、一部の開示が制限されていること示すイメージデータが、非開示通知用データとして設定されていた場合の画面例である。開示が制限されている３箇所の色等を変えて、制限データの一部が非開示であることを通知している。１つの制限データの開示状態が開示に更新されると、その制限データに対応した開示通知用データ（例えば、色等を変更したイメージデータ）が表示される。【０１５４】  図１７（ｄ）は、コンテンツデータＣのうち、一部の開示が制限されていること示すイメージデータが、非開示通知用データとして設定されていた場合の画面例である。これは、図１７（ｃ）と同様に、音楽データや動画データ等において、特定の再生位置の開示が制限されていることを示す場合に有効である。１つの制限データの開示状態が開示に更新されると、その制限データに対応した開示通知用データ（例えば、開錠を示す鍵状アイコンのイメージデータ）が表示される。【０１５５】  図１８は、図１７（ａ）〜図１７（ｄ）に示すコンテンツデータの一覧表示から、コンテンツデータＣを表示したときの画面例である。【０１５６】  図示しているように、３つの制限データの開示状態が全て非開示であるため、コンテンツデータＣのイメージデータが全く表示されないものとする。【０１５７】  図１９（ａ）〜図１９（ｃ）は、３つの制限データの開示状態に応じたコンテンツデータＣの表示例である。【０１５８】  図１９（ａ）は、��つの制限データのうち、制限データ部１が開示されたときのコンテンツデータＣの表示例である。【０１５９】  制限データ部１に対応する開示条件が満たされると、制限データ部１の実データであるイメージデータが、画面中央より左寄りに表示されるものとする。【０１６０】  図１９（ｂ）は、３つの制限データのうち、制限データ部２が開示されたときのコンテンツデータＣの表示例である。【０１６１】  制限データ部２に対応する開示条件が満たされると、制限データ部２の実データであるイメージデータが、画面中央に表示されるものとする。【０１６２】  図１９（ｃ）は、３つの制限データのうち、制限データ部３が開示されたときのコンテンツデータＣの表示例である。【０１６３】  制限データ部３に対応する開示条件が満たされると、制限データ部３の実データであるイメージデータが、画面中央より右寄りに表示されるものとする。【０１６４】  図２０は、制限データ部１〜３の開示条件が全て満たされたときのコンテンツデータＣの表示例であり、制限データ部１〜３の実データであるイメージデータが全て表示される。【０１６５】  なお、図２１に示すように、開示条件を同一のコンテンツデータ内にある制限データの開示状態と関連付けて設定してもよい。これにより、例えば図２１に示すように、制限データ部２を開示するためには制限データ部１が開示されていることが条件であり、又、制限データ部３を開示するためには制限データ部２が開示されていることが条件であるため、制限データの開示順序を制御することができる。【０１６６】  図２２（ａ）〜図２２（ｃ）は、図２１に示すコンテンツデータＤの、３つの制限データの開示状態に応じた表示変化を示す画面例である。【０１６７】  図２２（ａ）は、制限データ部１が開示されたときのコンテンツデータＤの表示例である。【０１６８】  図２２（ｂ）は、制限データ部２が開示されたときのコンテンツデータＤの表示例である。【０１６９】  図２２（ｃ）は、制限データ部３が開示されたときのコンテンツデータＤの表示例である。【０１７０】  図２２（ａ）〜図２２（ｃ）に示すように、制限データ部１、制限データ部２、制限データ部３を順々に開示していくに従って、市松模様の透過度が段階的に上がり、市松模様に隠れた携帯電話機のイメージデータが明確に認識できるようになる。【０１７１】  なお、図２２（ａ）〜図２２（ｃ）に示したように、制限データの開示状態に応じて段階的に、コンテンツデータＤの表示を変化させてもよいし、３つの制限データ全ての開示状態が開示になったときに図２２（ｃ）に示す画面を表示するようにしてもよい。【０１７２】  なお、また、図２３及び図２４に示すように、制限データの開示条件に、他のコンテンツに含まれる開示条件クリア状態を関連付けて設定できるようにしてもよい。【０１７３】  以上のように、本実施の形態３における携帯電話機１０又はコンテンツサーバ１００によれば、同一のコンテンツデータ内に複数の制限データを有していることを通知したり、他のコンテンツデータと関連を持たせることにより、コンテンツデータに制限データが含まれていることを予め認識させ、制限データに対する期待感を持たせて、コンテンツデータの閲覧��視聴又は購入等の意欲を促進させることができる。【０１７４】  なお、上記実施の形態における制限データの開示条件として、携帯電話機やコンテンツサーバにおけるゲームのクリア、クイズ等の回答数や回答時間等を設定するようにしてもよい。【０１７５】  なお、また、上記実施の形態における携帯電話機は、制限データの開示状態が開示になったことをコンテンツ提供側もしくはそれに準じる業者等のサーバに識別番号と共に通知するようにしてもよい。これにより、コンテンツ提供側は、制限データの開示状況を同期的に把握でき、開示率の低い制限データを開示するためのヒント等の情報を携帯電話機側へ配信したり、開示するまでの時間に応じたユーザランキング等を配信したりすることができる。【０１７６】  本発明を詳細にまた特定の実施態様を参照して説明したが、本発明の精神と範囲を逸脱することなく様々な変更や修正を加えることができることは当業者にとって明らかである。
本出願は、２００５年１１月２日出願の日本特許出願（特願２００５−３１９０７８）、に基づくものであり、その内容はここに参照として取り込まれる。
【産業上の利用可能性】
【０１７７】  以上のように、本発明にかかる情報通信装置、サーバ及びコンテンツ提示方法は、コンテンツデータに制限データが含まれていることを予め認識させ、制限データに対する期待感を持たせて、コンテンツデータの閲覧、視聴又は購入等の意欲を促進させることができるという効果を有し、テキスト、画像、音楽及び動画等のコンテンツデータを扱う携帯電話機、パソコン、ＰＤＡ等として有用である。
【図１】
2007052373.tif 000003
【図２】
2007052373.tif 000004
【図３】
2007052373.tif 000005
【図４】
2007052373.tif 000006
【図５】
2007052373.tif 000007
【図６】
2007052373.tif 000008
【図７】
2007052373.tif 000009
【図８】
2007052373.tif 000010
【図９】
2007052373.tif 000011
【図１０】
2007052373.tif 000012
【図１１】
2007052373.tif 000013
【図１２】
2007052373.tif 000014
【図１３】
2007052373.tif 000015
【図１４】
2007052373.tif 000016
【図１５】
2007052373.tif 000017
【図１６】
2007052373.tif 000018
【図１７】
2007052373.tif 000019
【図１８】
2007052373.tif 000020
【図１９】
2007052373.tif 000021
【図２０】
2007052373.tif 000022
【図２１】
2007052373.tif 000023
【図２２】
2007052373.tif 000024
【図２３】
2007052373.tif 000025
【図２４】
2007052373.tif 000026
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
サーバからコンテンツデータを取得する情報通信装置において、
前記コンテンツデータに、開示が制限された制限データが含まれているか否かを判定するコンテンツ解析手段と、
前記制限データが含まれているとの判定がなされた場合、前記制限データを開示するための条件が満たされているか否かを判定するコンテンツ制御手段と、
前記コンテンツ制御手段の指示に基づき、前記制限データの開示状態を通知する通知手段とを有し、
前記通知手段は、前記コンテンツデータに予め設定された通知形式に従って、前記制限データの開示状態を通知することを特徴とする情報通信装置。
【請求項２】
前記通知形式は、表示、振動又は鳴動のうちのいずれかであり、
前記通知手段は、前記制限データの前記開示状態を前記通知形式に従って通知することを特徴とする請求項１記載の情報通信装置。
【請求項３】
前記条件は、前記制限データが含まれるコンテンツデータと同一のコンテンツデータに関連付けられており、
前記コンテンツ制御手段は、前記条件を満たしているか否かを判定することを特徴とする請求項１記載の情報通信装置。
【請求項４】
前記条件は、前記制限データが含まれるコンテンツデータと異なるコンテンツデータに関連付けられており、
前記コンテンツ制御手段は、前記条件を満たしているか否かを判定することを特徴とする請求項１記載の情報通信装置。
【請求項５】
前記通知手段は、前記コンテンツ制御手段で前記条件を満たすとの判定がなされたときに、前記制限データが開示されたことを前記サーバに通知することを特徴とする請求項１又は２記載の情報通信装置。
【請求項６】
コンテンツデータを格納するサーバにおいて、
前記コンテンツデータに、開示が制限された制限データが含まれているか否かを判定するコンテンツ解析手段と、
前記制限データが含まれているとの判定がなされた場合、前記制限データを開示するための条件が満たされているか否かを判定するコンテンツ制御手段と、
前記コンテンツ制御手段の指示に基づき、前記制限データの開示状態を通知する通知手段とを有し、
前記通知手段は、前記コンテンツデータに予め設定された通知形式に従って、前記制限データの開示状態を通知することを特徴とするサーバ。
【請求項７】
コンテンツデータに、開示が制限された制限データが含まれているか否かを判定するコンテンツ解析ステップと、
前記制限データが含まれているとの判定がなされた場合、前記制限データを開示するための条件が満たされているか否かを判定するコンテンツ制御ステップと、
前記コンテンツ制御ステップでの判定結果に基づき、前記制限データの開示状態を通知する通知ステップとを有し、
前記通知ステップは、前記コンテンツデータに予め設定された通知形式に従って、前記制限データの開示状態を通知することを特徴とするコンテンツ提示方法。
【請求項８】
前記通知形式は、表示、振動又は鳴動のうちのいずれかであり、
前記通知ステップは、前記制限データの前記開示状態を前記通知形式に従って通知することを特徴とする請求項７記載のコンテンツ提示方法。
【手続補正２】
【補正対象書類名】明細書
【補正対象項目名】全文
【補正方法】変更
【補正の内容】
【発明の詳細な説明】
【技術分野】
【０００１】
本発明は、コンテンツデータの閲覧や配信等を行う情報通信装置、サーバ及びコンテンツ提示方法に関するものである。
【背景技術】
【０００２】
昨今、インターネットサービスが普及して、テキスト、画像、音楽及び動画等のコンテンツがＷｅｂ上に多数存在し、パソコン、ＰＤＡ（Ｐｅｒｓｏｎａｌ  Ｄｉｇｉｔａｌ  Ａｓｓｉｓｔａｎｃｅ）や携帯電話機等の情報通信装置を用いて、ユーザは多種多様な情報を取得することができるようになった。
【０００３】
こうしたなか、コンテンツの提供者は、多数存在するコンテンツの中で、自身が提供するコンテンツに対して、ユーザに興味を持たせて閲覧、視聴又は購入等をさせることが容易ではない状況にある。
【０００４】
従来の懸賞応募受付方法は、所定のＷｅｂページの閲覧を懸賞応募受付の条件としており、ユーザに対して強制的にコンテンツの閲覧を行わせている（例えば、特許文献１参照）。
【特許文献１】特開２００３−９１６１５号公報
【発明の開示】
【発明が解決しようとする課題】
【０００５】
しかしながら、上記方法では、ユーザは受動的に所定のＷｅｂページを閲覧しなければならないため、そのＷｅｂページに対して興味を持たずに閲覧している場合が往々にしてあるといった課題があった。
【０００６】
本発明は、従来の問題を解決するためになされたもので、コンテンツデータに開示が制限された特別な情報が含まれていることをユーザに予め認識させることで、コンテンツデータの閲覧、視聴又は購入等の意欲を促進させることのできる情報通信装置、サーバ及びコンテンツ提示方法を提供することを目的とする。
【課題を解決するための手段】
【０００７】
本発明の情報通信装置は、サーバからコンテンツデータを取得する情報通信装置であり、前記コンテンツデータに、開示が制限された制限データが含まれているか否かを判定するコンテンツ解析手段と、前記制限データが含まれているとの判定がなされた場合、前記制限データを開示するための条件が満たされているか否かを判定するコンテンツ制御手段と、前記コンテンツ制御手段の指示に基づき、前記制限データの開示状態を通知する通知手段とを有し、前記通知手段は、前記コンテンツデータに予め設定された通知形式に従って、前記制限データの開示状態を通知する構成を有する。
【０００８】
この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。また、この構成により、コンテンツデータの提供側は、コンテンツデータに制限データが含まれていることをユーザに対して効果的に認識させる通知形式を自由に設定することができる。
【０００９】
また、本発明の情報通信装置は、前記通知形式が、表示、振動又は鳴動のうちのいずれかであり、前記通知手段が、前記制限データの前記開示状態を前記通知形式に従って通知する構成を有する。
【００１０】
この構成により、アイコンイメージ、振動強弱、音によって、コンテンツデータに制限データが含まれているか否かをユーザに容易に認識させることができる。
【００１１】
また、本発明の情報通信装置は、前記条件が、前記制限データが含まれるコンテンツデータと同一のコンテンツデータに関連付けられており、前記コンテンツ制御手段が、前記条件を満たしているか否かを判定する構成を有する。
【００１２】
この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。
【００１３】
また、本発明の情報通信装置は、前記条件が、前記制限データが含まれるコンテンツデータと異なるコンテンツデータに関連付けられており、前記コンテンツ制御手段が、前記条件を満たしているか否かを判定する構成を有する。
【００１４】
この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。
【００１５】
また、本発明の情報通信装置は、前記通知手段は、前記コンテンツ制御手段で前記条件を満たすとの判定がなされたときに、前記制限データが開示されたことを前記サーバに通知する構成を有する。
【００１６】
この構成により、サーバは、制限データの開示状況を同期的に把握でき、開示率の低い制限データを開示するためのヒント等の情報を情報通信装置へ配信したり、開示するまでの時間に応じたユーザランキング等を配信したりすることができる。
【００１７】
また、本発明のサーバは、コンテンツデータを格納するサーバであり、前記コンテンツデータに、開示が制限された制限データが含まれているか否かを判定するコンテンツ解析手段と、前記制限データが含まれているとの判定がなされた場合、前記制限データを開示するための条件が満たされているか否かを判定するコンテンツ制御手段と、前記コンテンツ制御手段の指示に基づき、前記制限データの開示状態を通知する通知手段とを有し、前記通知手段は、前記コンテンツデータに予め設定された通知形式に従って、前記制限データの開示状態を通知する構成を有する。
【００１８】
この構成により、開示が制限された制限データの開示状態をユーザに通知し、コンテンツデータに制限データが含まれていることを認識させることで、制限データに対する期待感を持たせて、閲覧、視聴又は購入等の意欲を促進させることができる。また、この構成により、コンテンツデータの提供側は、コンテンツデータに制限データが含まれていることをユーザに対して効果的に認識させる通知形式を自由に設定することができる。
【００１９】
また、本発明のコンテンツ提示方法は、コンテンツデータに、開示が制限された制限データが含まれているか否かを判定するコンテンツ解析ステップと、前記制限データが含まれているとの判定がなされた場合、前記制限データを開示するための条件が満たされているか否かを判定するコンテンツ制御ステップと、前記コンテンツ制御ステップでの判定結果に基づき、前記制限データの開示状態を通知する通知ステップとを有し、前記通知ステップは、前記コンテンツデータに予め設定された通知形式に従って、前記制限データの開示状態を通知する。
【００２０】
この方法により、開示が制限された制限データの開示状態をユーザに通知し、コンテンツデータに制限データが含まれていることを認識させることで、制限データに対する期待感を持たせて、閲覧、視聴又は購入等の意欲を促進させることができる。
【００２１】
また、本発明のコンテンツ提示方法は、前記通知形式が、表示、振動又は鳴動のうちのいずれかであり、前記通知ステップが、前記制限データの前記開示状態を前記通知形式に従って通知する。
【００２２】
この方法により、アイコンイメージ、振動強弱、音によって、コンテンツデータに制限データが含まれているか否かをユーザに容易に認識させることができる。
【発明の効果】
【００２３】
本発明は、コンテンツデータに制限データが含まれていることを予め通知し、制限データに対する期待感を持たせて、コンテンツデータの閲覧、視聴又は購入等の意欲を促進させることができる情報通信装置、サーバ及びコンテンツ提示方法を提供することができるものである。
【発明を実施するための最良の形態】
【００２４】
以下、本発明の実施の形態について、図面を用いて説明する。
【００２５】
（実施の形態１）
本発明の実施の形態１は、情報通信装置が携帯電話機である場合を例にして説明する。
【００２６】
図１は、本発明の実施の形態１における携帯電話機１０の構成を示すブロック図である。
【００２７】
携帯電話機１０は、コンテンツ入力手段２０、コンテンツ解析手段３０、コンテンツ制御手段４０、開示情報管理手段５０、条件検出手段６０、出力手段７０及び表示手段８０から構成されている。
【００２８】
コンテンツ入力手段２０は、携帯電話機１０の内部メモリ（図示せず）やメモリカード等の外部メモリ（図示せず）に記憶されているコンテンツデータを取得したり、インターネットやＬＡＮ等のネットワークを介してサーバ等からコンテンツデータを取得することができる。コンテンツ入力手段２０は、サーバや各メモリから取得したコンテンツデータを入力信号として、コンテンツ解析手段３０に対して送出する。
【００２９】
コンテンツ解析手段３０は、コンテンツ入力手段２０から受信した入力信号の内容を解析し、開示が制限された制限データに関連付けられた開示条件、通知形式等の関連情報をコンテンツデータから抽出することができる。
【００３０】
コンテンツ制御手段４０は、コンテンツ解析手段３０で抽出された開示条件等の開示情報を登録要求信号として開示情報管理手段５０に送出し、登録することができる。また、コンテンツ制御手段４０は、開示情報に含まれている開示条件を条件設定信号として条件検出手段６０に送出することで、開示条件が満たされたか否かの監視を要求することができる。また、コンテンツ制御手段４０は、条件検出手段６０から開示条件が満たされたことを示す条件結果信号を受信すると、開示情報管理手段５０に対して、更新要求信号を送出し、開示情報管理手段５０に記憶されている開示情報を更新することができる。また、コンテンツ制御手段４０は、開示情報管理手段５０に登録されている開示状態に基づいて、出力手段７０に開示状態通知信号を送出することができる。
【００３１】
開示情報管理手段５０は、コンテンツ制御手段４０から登録要求信号を受信すると、登録要求信号に含まれる開示情報を記憶することができる。また、コンテンツ制御手段４０から更新要求信号を受信すると、更新要求信号の内容に従って、記憶されている開示状態を更新することができる。
【００３２】
条件検出手段６０は、コンテンツ制御手段４０から条件設定信号を受信すると、条件設定信号に含まれる開示条件の監視を行う。また、条件検出手段６０は、開示条件が満たされたとき、条件結果信号をコンテンツ制御手段４０に対して送出する。
【００３３】
出力手段７０は、コンテンツ解析手段３０から受信した制限データの通知形式や通知用データと、コンテンツ制御手段４０から受信した開示状態通知信号の内容とに基づいて、開示可否を示す通知信号を表示手段８０に対して送出する。
【００３４】
表示手段８０は、通知手段の一つであり、出力手段７０から受信した通知信号の内容に従って、開示可否を示す表示を行うことで、コンテンツデータに含まれる制限データが開示されているか否かを通知することができる。なお、ここでは通知手段として、表示手段８０を例にして説明するが、これに限定されるものではなく、振動手段や鳴動手段によって、コンテンツデータに含まれる制限データが開示されているか否かを通知するようにしてもよい。
【００３５】
図２は、本発明の実施の形態１におけるコンテンツデータのデータフォーマット例である。
【００３６】
図示しているように、コンテンツデータＡは、通常データ部関連情報、制限データ部関連情報、通常データ部及び制限データ部から構成されている。
【００３７】
通常データ部関連情報は、レコードＲ２１１とレコードＲ２１２とから構成されている。
【００３８】
レコードＲ２１１は、コンテンツデータＡのタイトル名を示し、携帯電話機１０にてコンテンツデータの一覧を表示するときに表示される名前である。
【００３９】
レコードＲ２１２は、コンテンツデータＡのコンテンツサイズを示す。
【００４０】
次に、制限データ部関連情報は、レコードＲ２２１〜Ｒ２２５から構成されている。
【００４１】
レコードＲ２２１は、コンテンツデータに制限データが含まれていることを通知する形式を示す。ここでは、アイコン等のイメージを表示して制限データが含まれていることを通知する形式が設定されているが、これに限定されず、バイブレーションによる振動強弱や振動間隔、ＬＥＤ・ＬＣＤ等の点滅や輝度変化、又はスピーカー等からの鳴動によって、制限データが含まれていることをユーザに通知するようにしてもよい。
【００４２】
レコードＲ２２２は、制限データが開示されている状態であるときに通知する開示通知用データを示す。ここでは、制限データが開示されていることを示すアイコンの実データが格納されているものとする。
【００４３】
レコードＲ２２３は、制限データが開示されていない状態であるときに通知する非開示通知用データを示す。ここでは、制限データが開示されてないことを示すアイコンの実データが格納されているものとする。
【００４４】
レコードＲ２２４は、制限データを開示するための開示条件を示す。ここでは、メール受信回数が１０回に到達したとき、制限データを開示するよう指定されているものとする。開示条件としては、メール受信回数に限定されず、メール送信回数、音声着信回数、音声発信回数、電話帳登録件数、電波状態、電池残量又は日時情報等の携帯電話機に関連する各種情報や、コンテンツデータに関連するライセンス情報等を用いてもよい。
【００４５】
レコードＲ２２５は、開示条件が満たされたときに開示する開示データを示す。ここでは、レコードＲ２２４に示す開示条件が満たされると、コンテンツデータＡの制限データが開示されるよう指定されている。
【００４６】
次に、通常データ部は、レコードＲ２３１とＲ２３２とから構成されている。
【００４７】
レコードＲ２３１は、コンテンツデータＡのデータ形式を示す。ここではデータ形式として、イメージを指定しているが、これに限定されるものではなく、テキスト、ムービー、又はミュージック等のデータ形式であってももちろんよい。
【００４８】
レコードＲ２３２は、コンテンツデータＡの制限データが開示されていないとき、又はコンテンツデータＡが制限データを持たないときに出力される実データを示す。
【００４９】
次に、制限データ部は、レコードＲ２４１で構成されている。
【００５０】
レコードＲ２４１は、コンテンツデータＡの制限データが開示されたときに出力される実データを示す。ここで、制限データの開示とは、イメージ形式やテキスト形式の制限データを表示したり、ミュージック形式やムービー形式の制限データを再生したりすること等により、通常データでは表示又は再生等が妨げられていた箇所や、通常データでは得られなかった新たな付加情報を提供することをいう。
【００５１】
なお、ここではレコードＲ２４１に制限データの実データを直接指定しているが、これに限定されるものではなく、レコードＲ２４１に制限データの取得先を示すＵＲＬ等を指定しておき、開示条件を満たしている場合には指定されたＵＲＬへ制限データを取得するようにしてもよい。
【００５２】
図３及び図４は、本発明の実施の形態１における携帯電話機１０にコンテンツデータが保存されたときの処理手順を示すフローチャートである。
【００５３】
図３において、コンテンツ入力手段２０は、サーバ等から取得したコンテンツデータが内部メモリに保存されたときに処理を開始する。
【００５４】
コンテンツ入力手段２０は、処理を開始すると内部メモリからコンテンツデータを取得し、取得したコンテンツデータを入力信号として、コンテンツ解析手段３０に送出する（ステップＳ１）。
【００５５】
次に、コンテンツ解析手段３０は、入力信号の内容を解析し、コンテンツデータに制限データが存在するか否かを判定する（ステップＳ２）。
【００５６】
コンテンツデータに制限データが存在する場合（ステップＳ２、Ｙｅｓ）、コンテンツデータの制限データ部関連情報のうち、開示条件Ｒ２２４と開示データＲ２２５とを登録要求信号として、コンテンツ制御手段４０に送出する（ステップＳ３）。
【００５７】
一方、コンテンツデータに制限データが存在しない場合（ステップＳ２、Ｎｏ）、コンテンツ解析手段３０は、コンテンツデータに開示条件が存在するか否かを判定する（ステップＳ４）。
【００５８】
コンテンツデータに開示条件が存在する場合（ステップＳ４、Ｙｅｓ）、コンテンツ解析手段３０は、コンテンツデータの制限データ部関連情報のうち、開示条件Ｒ２２４と開示データＲ２２５とを登録要求信号として、コンテンツ制御手段４０に送出する（ステップＳ３）。
【００５９】
一方、コンテンツデータに開示条件が存在しない場合（ステップＳ４、Ｎｏ）、処理を終了する。
【００６０】
図４において、コンテンツ制御手段４０は、コンテンツ解析手段３０から登録要求信号を受信すると処理を開始する。
【００６１】
コンテンツ制御手段４０は、処理を開始すると、登録要求信号に含まれる開示条件Ｒ２２４及び開示データＲ２２５と、既に開示情報管理手段５０の登録されている内容との関連性を判定する（ステップＳ５）。
【００６２】
登録要求信号に含まれる内容と、既に開示情報管理手段５０に登録されている内容とに関連性がない場合（ステップＳ６、Ｎｏ）、コンテンツ制御手段４０は、開示情報管理手段５０に登録要求信号を送出し、開示条件Ｒ２２４、開示データＲ２２５、開示条件のクリア状態及び開示データの開示状態を新規登録する（ステップＳ７）。
【００６３】
一方、登録要求信号に含まれる制限データ部関連情報の内容と、既に開示情報管理手段５０に登録されている内容とに関連性がある場合（ステップＳ６、Ｙｅｓ）、コンテンツ制御手段４０は、開示情報管理手段５０に登録要求信号を送出し、開示条件Ｒ２２４、開示データＲ２２５、開示条件のクリア状態及び開示データの開示状態を既に登録されている内容と関連付けて登録する（ステップＳ８）。
【００６４】
次に、コンテンツ制御手段４０は、制御データ部関連情報の開示条件Ｒ２２４を条件設定信号として、条件検出手段６０に送出する（ステップＳ９）。
【００６５】
図５は、本発明の実施の形態１における条件設定後の処理手順を示すフローチャートである。
【００６６】
図５において、条件検出手段６０は、条件設定信号を受信すると処理を開始し、条件設定信号に含まれる制限データの開示条件が満たされているか否かを監視する（ステップＳ１０）。
【００６７】
条件検出手段６０は、条件設定信号に含まれる開示条件が満たされたことを検出すると（ステップＳ１０、Ｙｅｓ）、コンテンツ制御手段４０に対して、開示条件が満たされたことを示す条件結果信号を送出する。開示条件が満たされたことを示す条件結果信号を受信したコンテンツ制御手段４０は、開示情報管理手段５０に対して、更新要求信号を送出し、登録内容を更新する（ステップＳ１１）。コンテンツ制御手段４０は、開示情報管理手段５０の登録内容を更新した後、処理を終了する。
【００６８】
一方、条件検出手段６０は、条件設定手段に含まれる開示条件が満たされていない場合（ステップＳ１０、Ｎｏ）、再度、開示条件が満たされているか否かの監視を行う。
【００６９】
ここで、図３〜図５におけるコンテンツデータが、図２に示すコンテンツデータＡである場合を例に前述のフローチャートを説明する。
【００７０】
コンテンツ入力手段２０は、処理を開始すると、内部メモリからコンテンツデータＡを取得し、取得したコンテンツデータＡを入力信号として、コンテンツ解析手段３０に送出する。
【００７１】
コンテンツ解析手段３０は、入力信号を受信すると、コンテンツデータＡの内容を解析し（ステップＳ１）、制限データが存在するか否かを判定する（ステップＳ２）。コンテンツデータＡには制限データが存在するため（ステップＳ２、Ｙｅｓ）、コンテンツデータＡのうち、開示条件Ｒ２２４及び開示データＲ２２５をコンテンツ制御手段４０に登録要求信号として送出する（ステップＳ３）。
【００７２】
コンテンツ制御手段４０は、コンテンツ解析手段３０から登録要求信号を受信すると、開示情報管理手段５０に既に登録されている内容との関連性を判断する（ステップＳ５）。ここでは開示情報管理手段５０には何も登録されていないものとして（ステップＳ６、Ｎｏ）、開示情報管理手段５０にコンテンツデータＡの開示条件Ｒ２２４、開示データＲ２２５、開示条件のクリア状態及び開示データの開示状態を新規登録する（ステップＳ７）。
【００７３】
次に、コンテンツ制御手段４０は、制御データ部関連情報の開示条件Ｒ２２４（メール受信回数１０回）を条件設定信号として、条件検出手段６０に送出する。これにより、条件検出手段６０は、メール受信回数が１０回に到達するまで監視を行う（ステップＳ９）。
【００７４】
図６は、開示情報管理手段５０に登録されているコンテンツデータＡの開示情報を示す図である。
【００７５】
開示情報管理手段５０には、開示データ、開示条件、開示条件のクリア状態及び開示データの開示状態がそれぞれ登録されている。
【００７６】
開示条件のクリア状態及び開示データの開示状態は、メール受信回数が１０回を到達するまで変更されず、コンテンツ制御手段４０から更新要求信号を受信することで更新することができる。
【００７７】
図７は、本発明の実施の形態１における携帯電話機１０において、コンテンツデータの一覧表示を行うときの処理手順を示すフローチャートである。
【００７８】
図７において、コンテンツ入力手段２０は、コンテンツデータの一覧表示指示があると処理を開始する。
【００７９】
コンテンツ入力手段２０は、処理を開始すると、内部メモリからコンテンツデータを順に取得し、取得したコンテンツデータを入力信号として、コンテンツ解析手段３０に送出する（ステップＳ１）。
【００８０】
次に、コンテンツ解析手段３０は、入力信号の内容を解析し、コンテンツデータに制限データが存在するか否かを判定する（ステップＳ２）。また、コンテンツ解析手段３０は、入力信号の内容を解析し、コンテンツデータのタイトルＲ２１１、制限データの通知形式Ｒ２２１、開示通知用データＲ２２２及び非開示通知用データＲ２２３を抽出して、出力手段７０に対して送出する。
【００８１】
コンテンツデータに制限データが存在しない場合（ステップＳ２、Ｎｏ）、コンテンツ解析手段３０は、出力手段７０に対して、通常表示指示信号を送出する（ステップＳ１２）。
【００８２】
一方、コンテンツデータに制限データが存在する場合（ステップＳ２、Ｙｅｓ）、コンテンツ解析手段３０は、コンテンツ制御手段４０に対して、開示制御信号を送出する。コンテンツ制御手段４０は、開示制御信号を受信すると、開示情報管理手段６０に対して、開示状態取得信号を送出し、制限データの開示状態を取得する（ステップＳ１３）。
【００８３】
取得した開示状態が非開示であれば（ステップＳ１４、Ｎｏ）、コンテンツ制御手段４０は、出力手段７０に対して、制限データの開示状態が非開示であることを示す開示状態通知信号を送出する（ステップＳ１５）。
【００８４】
一方、取得した開示状態が開示であれば（ステップＳ１４、Ｙｅｓ）、コンテンツ制御手段４０は、出力手段７０に対して、制限データの開示状態が開示であることを示す開示状態通知信号を送出する（ステップＳ１６）。
【００８５】
出力手段７０は、コンテンツ解析手段３０から通常表示指示信号を受信した場合、コンテンツデータのタイトルＲ２１１のみを通知信号として表示手段８０に送出する。また、出力手段７０は、コンテンツ制御手段４０から制限データの開示状態が非開示であることを示す開示状態通知信号を受信した場合、コンテンツデータのタイトルＲ２１１、制限データの通知形式Ｒ２２１及び非開示通知用データＲ２２３を通知信号として表示手段８０に送出する。また、出力手段７０は、コンテンツ制御手段４０から制限データの開示状態が開示であることを示す開示状態通知信号を受信した場合、コンテンツデータのタイトルＲ２１１、制限データの通知形式Ｒ２２１及び開示通知用データＲ２２２を通知信号として表示手段８０に送出する。
【００８６】
表示手段８０は、出力手段７０から受信した通知信号の内容に従って、表示を行い（ステップＳ１７）、処理を終了する。
【００８７】
ここで、図６に示すコンテンツデータＡの開示情報が開示情報管理手段５０に登録されている場合を例に、コンテンツデータの一覧表示を行うときの処理手順を説明する。
【００８８】
コンテンツ入力手段２０は、コンテンツデータの一覧表示指示があると処理を開始し、内部メモリからコンテンツデータＡを取得して、取得したコンテンツデータＡを入力信号として、コンテンツ解析手段３０に送出する。
【００８９】
次に、コンテンツ解析手段３０は、入力信号の内容を解析し（ステップＳ１）、コンテンツデータＡに制限データが存在するか否かを判定する（ステップＳ２）。ここでは、コンテンツデータＡに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＡのタイトルＲ２１１、制限データの通知形式Ｒ２２１、開示通知用データＲ２２２及び非開示通知用データＲ２２３を出力手段７０に対して送出する。
【００９０】
コンテンツ制御手段４０は、開示制御信号を受信すると、開示情報管理手段６０に対して、開示状態取得信号を送出し、コンテンツデータＡの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。
【００９１】
出力手段７０は、コンテンツ制御手段４０から制限データの開示状態が非開示であることを示す開示状態通知信号を受信すると、コンテンツデータＡのタイトルＲ２１１、制限データの通知形式Ｒ２２１及び非開示通知用データＲ２２３を通知信号として表示手段８０に送出する。
【００９２】
表示手段８０は、出力手段７０から受信した通知信号の内容に従って、コンテンツデータＡのタイトルと、通知形式Ｒ２２１に指定されたイメージ形式による非開示通知用データＲ２２３の表示を行い（ステップＳ１７）、処理を終了する。
【００９３】
図８（ａ）〜図８（ｄ）は、コンテンツデータＡに含まれる制限データの開示状態が非開示である場合に、コンテンツデータの一覧表示を行ったときの画面例である。
【００９４】
図８（ａ）は、鍵状アイコンのイメージデータが、非開示通知用データとしてコンテンツデータＡに設定されていた場合の画面例である。鍵状アイコンのイメージデータが、閉錠していることから、制限データの開示状態が非開示であることを通知する。
【００９５】
図８（ｂ）は、星状アイコンのイメージデータが、非開示通知用データとしてコンテンツデータＡに設定されていた場合の画面例である。星状アイコンのイメージデータが、塗りつぶされていることから、制限データの開示状態が非開示であることを通知する。
【００９６】
図８（ｃ）は、コンテンツデータＡのうち、一部の開示が制限されていること示すイメージデータが、非開示通知用データとして設定されていた場合の画面例である。開示が制限されている箇所の色等を変えて、制限データの一部が非開示であることを通知する。これは、特に、音楽データや動画データ等において、特定の再生位置の開示が制限されていることを示す場合に有効である。
【００９７】
図８（ｄ）は、コンテンツデータＡのうち、一部の開示が制限されていること示すイメージデータが、非開示通知用データとして設定されていた場合の画面例である。これは、図８（ｃ）と同様に、音楽データや動画データ等において、特定の再生位置の開示が制限されていることを示す場合に有効である。
【００９８】
次に、図８（ａ）〜図８（ｄ）に示すコンテンツデータの一覧表示から、コンテンツデータＡを表示するときの処理手順について、図７に示すフローチャートを用いて説明する。
【００９９】
コンテンツ入力手段２０は、コンテンツデータの表示指示があると処理を開始し、内部メモリからコンテンツデータＡを取得して、取得したコンテンツデータＡを入力信号として、コンテンツ解析手段３０に送出する。
【０１００】
次に、コンテンツ解析手段３０は、入力信号の内容を解析し（ステップＳ１）、コンテンツデータＡに制限データが存在するか否かを判定する（ステップＳ２）。ここでは、コンテンツデータＡに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＡの通常データ部に含まれるデータ形式Ｒ２３１及び実データＲ２３２と、制限データ部に含まれる実データＲ２４１とを出力手段７０に対して送出する。
【０１０１】
コンテンツ制御手段４０は、開示制御信号を受信すると、開示情報管理手段６０に対して、開示状態取得信号を送出し、コンテンツデータＡの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。
【０１０２】
出力手段７０は、コンテンツ制御手段４０から制限データの開示状態が非開示であることを示す開示状態通知信号を受信すると、コンテンツデータＡの通常データ部に含まれるデータ形式Ｒ２３１と実データＲ２３２とを通知信号として表示手段８０に送出する。
【０１０３】
表示手段８０は、出力手段７０から受信した通知信号の内容に従って、データ形式Ｒ２３１に指定されたイメージ形式によって、通常データ部に含まれる実データＲ２４１の表示を行い（ステップＳ１７）、処理を終了する。
【０１０４】
図９は、コンテンツデータＡに含まれる制限データの開示状態が非開示であるときに、コンテンツデータＡを表示した画面例である。
【０１０５】
ここでは、制限データの開示状態が非開示であるため、イメージ形式のコンテンツデータＡは閲覧が制限されるようになっている。
【０１０６】
図１０は、開示条件Ｒ２２４が満たされたことを条件検出手段６０が検出したときの、開示情報管理手段５０に登録されているコンテンツデータＡの開示情報を示す図である。
【０１０７】
コンテンツ制御手段４０は、メール受信回数が１０回に到達したとき、条件検出手段６０から条件結果信号を受信し、開示情報管理手段５０に対して更新要求信号を送出することによって、開示条件のクリア状態及び開示データの開示状態をそれぞれ更新する。
【０１０８】
ここで、図１０に示すコンテンツデータＡの開示情報が開示情報管理手段５０に登録されている場合に、コンテンツデータの一覧表示を行うときの処理手順を図７に示すフローチャートを用いて説明する。なお、コンテンツの解析等、前述した処理については説明を省略する。
【０１０９】
コンテンツ制御手段４０は、制限データの開示状態を取得し（ステップＳ１３）、取得した開示状態が開示であるため（ステップＳ１４、Ｙｅｓ）、出力手段７０に対して、制限データの開示状態が開示であることを示す開示状態通知信号を送出する（ステップＳ１６）。
【０１１０】
出力手段７０は、コンテンツ制御手段４０から制限データの開示状態が開示であることを示す開示状態通知信号を受信すると、コンテンツデータＡのタイトルＲ２１１、制限データの通知形式Ｒ２２１及び開示通知用データＲ２２２を通知信号として表示手段８０に送出する。
【０１１１】
表示手段８０は、出力手段７０から受信した通知信号の内容に従って、コンテンツデータＡのタイトルと、通知形式Ｒ２２１に指定されたイメージ形式による開示通知用データＲ２２２の表示を行う（ステップＳ１７）。
【０１１２】
図１１（ａ）〜（ｄ）は、コンテンツデータＡに含まれる制限データの開示状態が開示である場合に、コンテンツデータの一覧表示を行ったときの画面例である。
【０１１３】
図１１（ａ）は、鍵状アイコンのイメージデータが、開示通知用データとしてコンテンツデータＡに設定されていた場合の画面例である。鍵状アイコンのイメージデータが、開錠していることから、制限データの開示状態が開示であることを通知する。
【０１１４】
図１１（ｂ）は、星状アイコンのイメージデータが、開示通知用データとしてコンテンツデータＡに設定されていた場合の画面例である。星状アイコンのイメージデータが、塗りつぶされていないことから、制限データの開示状態が開示であることを通知する。
【０１１５】
図１１（ｃ）は、コンテンツデータＡのうち、一部の制限が解除されていること示すイメージデータが、開示通知用データとして設定されていた場合の画面例である。制限が解除された箇所の色等を変えて、制限データの一部が開示されていることを通知する。これは、特に、音楽データや動画データ等において、特定の再生位置の開示が解除されたことを示す場合に有効である。
【０１１６】
図１１（ｄ）は、コンテンツデータＡのうち、一部の制限が解除されていること示すイメージデータが、開示通知用データとして設定されていた場合の画面例である。これは、図１１（ｃ）と同様に、音楽データや動画データ等において、特定の再生位置の制限が解除されたことを示す場合に有効である。
【０１１７】
次に、図１１（ａ）〜図１１（ｄ）に示すコンテンツデータの一覧表示から、コンテンツデータＡを表示するときの処理手順について、図７に示すフローチャートを用いて説明する。なお、コンテンツの解析等、前述した処理については説明を省略する。
【０１１８】
コンテンツ制御手段４０は、制限データの開示状態を取得し（ステップＳ１３）、制限データの開示状態が開示であるため（ステップＳ１４、Ｙｅｓ）、出力手段７０に対して、制限データの開示状態が開示であることを示す開示状態通知信号を送出する（ステップＳ１６）。
【０１１９】
出力手段７０は、コンテンツ制御手段４０から制限データの開示状態が開示であることを示す開示状態通知信号を受信すると、コンテンツデータＡの通常データ部に含まれるデータ形式Ｒ２３１と、制限データ部に含まれる実データＲ２４１とを通知信号として表示手段８０に送出する。
【０１２０】
表示手段８０は、出力手段７０から受信した通知信号の内容に従って、データ形式Ｒ２３１に指定されたイメージ形式によって、制限データ部に含まれる実データＲ２４１の表示を行う（ステップＳ１７）。
【０１２１】
図１２は、コンテンツデータＡに含まれる制限データの開示状態が開示であるときに、コンテンツデータＡを表示した画面例である。
【０１２２】
制限データの開示状態が開示となったため、イメージ形式のコンテンツデータＡの全ての内容を閲覧することができる。
【０１２３】
以上のように本発明の実施の形態１の携帯電話機１０によれば、コンテンツ制御手段４０がコンテンツデータに含まれた制限データの開示状態に基づいて、出力手段７０から表示手段８０への通知内容を制御することで、コンテンツ一覧表示時に、ユーザに対してコンテンツデータに制限データが含まれていることを予め認識させ、制限データに対する期待感を持たせて、コンテンツデータの閲覧、視聴又は購入等の意欲を促進させることができる。
【０１２４】
（実施の形態２）
本発明の実施の形態２は、コンテンツデータの配信を行うコンテンツサーバである場合を例として説明する。
【０１２５】
図１３は、本発明の実施の形態２におけるコンテンツサーバ１００の構成を示すブロック図である。なお、上記実施の形態１と同様の構成については、同じ参照符号を用い、重複した説明を省略する。
【０１２６】
コンテンツサーバ１００は、コンテンツ入力手段２０、コンテンツ解析手段３０、コンテンツ制御手段４０、開示情報管理手段５０、条件検出手段６０、出力手段７０及び通信手段９０から構成されている。
【０１２７】
通信手段９０は、インターネットやＬＡＮ等のネットワークを介して、携帯電話機等に対してコンテンツデータを配信することができる。
【０１２８】
図１４は、本発明の実施の形態２におけるコンテンツサーバ１００の開示情報管理手段５０に登録されているコンテンツデータＢの開示情報を示す図である。
【０１２９】
コンテンツデータＢの開示条件には、２００５年９月２０日午前０時以降が設定されている。ここで、コンテンツサーバ１００の保持する日時情報が２００５年９月１９日であったとして、開示条件のクリア状態にＮｏ、制限データの開示状態に非開示がそれぞれ設定されているものとする。
【０１３０】
次に、図１４に示すコンテンツデータＢの開示情報が開示情報管理手段５０に登録されている場合を例に、コンテンツデータの一覧表示を行うときの処理手順を図7に示すフローチャートを用いて説明する。
【０１３１】
コンテンツ入力手段２０は、コンテンツデータの一覧表示指示の要求が携帯電話機等からあると処理を開始し、内部メモリからコンテンツデータＢを取得して、取得したコンテンツデータＢを入力信号として、コンテンツ解析手段３０に送出する。
【０１３２】
次に、コンテンツ解析手段３０は、入力信号の内容を解析し（ステップＳ１）、コンテンツデータＢに制限データが存在するか否かを判定する（ステップＳ２）。ここでは、コンテンツデータＢに制限データが存在するので（ステップＳ２、Ｙｅｓ）、コンテンツ解析手段３０は、コンテンツ制御手段４０に対して、開示制御信号を送出する。また、コンテンツ解析手段３０は、入力信号の内容を解析し、コンテンツデータＢのタイトルＲ２１１、制限データの通知形式Ｒ２２１、開示通知用データＲ２２２及び非開示通知用データＲ２２３を出力手段７０に対して送出する。
【０１３３】
コンテンツ制御手段４０は、開示制御信号を受信すると、開示情報管理手段６０に対して、開示状態取得信号を送出し、コンテンツデータＢの制限データの開示状態を取得する（ステップＳ１３）。ここでは、制限データの開示状態が非開示であるため（ステップＳ１４、Ｎｏ）、コンテンツ制御手段４０は、出力手段７０に対して、制限データの開示状態が非開示であることを示す開示状態通知信号を送出する（ステップＳ１５）。
【０１３４】
出力手段７０は、コンテンツ制御手段４０から制限データの開示状態が非開示であることを示す開示状態通知信号を受信すると、コンテンツデータＢのタイトルＲ２１１、制限データの通知形式Ｒ２２１及び非開示通知用データＲ２２３を通知信号として通信手段９０に送出する。
【０１３５】
通信手段９０は、出力手段７０から受信した通知信号の内容に従って、コンテンツデータＡのタイトルと、通知形式Ｒ２２１に指定されたイメージ形式による非開示通知用データＲ２２３とをＨＴＭＬ形式等によってネットワークを介して配信する（ステップＳ１７）。
【０１３６】
図１５は、開示条件Ｒ２２４が満たされたことを条件検出手段６０が検出したときの、開示情報管理手段５０に登録されているコンテンツデータＢの開示情報を示す図である。
【０１３７】
コンテンツ制御手段４０は、コンテンツサーバ１００の保持する日時情報が２００５年９月２０日午前０時を経過したとき、条件検出手段６０から条件結果信号を受信し、開示情報管理手段５０に対して更新要求信号を送出することによって、開示条件のクリア状態及び開示データの開示状態をそれぞれ更新する。
【０１３８】
ここで、図１５に示すコンテンツデータＢの開示情報が開示情報管理手段５０に登録されている場合に、コンテンツデータの一覧表示を行うときの処理手順を説明する。なお、コンテンツの解析等、前述した処理については説明を省略する。
【０１３９】
コンテンツ制御手段４０は、制限データの開示状態を取得し（ステップＳ１３）、取得した開示状態が開示であるため（ステップＳ１４、Ｙｅｓ）、出力手段７０に対して、制限データの開示状態が開示であることを示す開示状態通知信号を送出する（ステップＳ１６）。
【０１４０】
出力手段７０は、コンテンツ制御手段４０から制限データの開示状態が開示であることを示す開示状態通知信号を受信すると、コンテンツデータＢのタイトルＲ２１１、制限データの通知形式Ｒ２２１及び開示通知用データＲ２２２を通知信号として通信手段９０に送出する。
【０１４１】
通信手段９０は、出力手段７０から受信した通知信号の内容に従って、コンテンツデータＢのタイトルと、通知形式Ｒ２２１に指定されたイメージ形式による開示通知用データＲ２２２とをＨＴＭＬ形式等によってネットワークを介して配信する（ステップＳ１７）。
【０１４２】
以上のように、本実施の形態２におけるコンテンツサーバ１００によれば、コンテンツ制御手段４０がコンテンツデータに含まれた制限データの開示状態に基づいて、出力手段７０から通信手段８０への通知内容を制御することで、ユーザがコンテンツデータ本体を取得する前に、コンテンツデータに制限データが含まれていることを予め認識させ、制限データに対する期待感を持たせて、コンテンツデータの閲覧、視聴又は購入等の意欲を促進させることができる。
【０１４３】
なお、本実施の形態２におけるコンテンツサーバ１００は、上記コンテンツデータの一覧表示だけではなく、コンテンツデータ自体の表示を携帯電話機等から要求された場合も上記実施の形態１と同様に制限データの開示状態に基づいて配信することができる。
【０１４４】
なお、また、本実施の形態２におけるコンテンツサーバ１００は、コンテンツ一覧表示やコンテンツデータ自体の表示を要求する携帯電話機等の端末状態を取得して、開示条件のクリア状態を判定するようにしてもよい。
【０１４５】
（実施の形態３）
本発明の実施の形態３は、携帯電話機１０又はコンテンツサーバ１００に登録されている同一のコンテンツデータ内に複数の制限データを有している場合を例として説明する。
【０１４６】
図１６は、本発明の実施の形態３における携帯電話機１０又はコンテンツサーバ１００の開示情報管理手段５０に登録されているコンテンツデータＣの開示情報を示す図である。
【０１４７】
コンテンツデータＣは３つの制限データを有しており、それぞれの制限データを開示するための開示条件が設定されている。
【０１４８】
図１７（ａ）〜（ｄ）は、図１６に示すように、コンテンツデータＣに含まれる３つの制限データの開示状態が非開示である場合に、コンテンツデータの一覧表示を指示されたときの画面例である。
【０１４９】
図１７（ａ）は、鍵状アイコンのイメージデータが、非開示通知用データとしてコンテンツデータＣに設定されていた場合の画面例である。鍵状アイコンのイメージデータが、制限データ数だけ表示され、制限データの開示状態が非開示であることを通知している。１つの制限データの開示状態が開示に更新されると、その制限データに対応した開示通知用データ（例えば、開錠を示す鍵状アイコンのイメージデータ）が表示される。
【０１５０】
図１７（ｂ）は、星状アイコンのイメージデータが、非開示通知用データとしてコンテンツデータＣに設定されていた場合の画面例である。星状アイコンのイメージデータが、制限データ数だけ表示され、制限データの開示状態が非開示であることを通知している。１つの制限データの開示状態が開示に更新されると、その制限データに対応した開示通知用データ（例えば、塗りつぶしなしの星状アイコンのイメージデータ）が表示される。
【０１５１】
図１７（ｃ）は、コンテンツデータＣのうち、一部の開示が制限されていること示すイメージデータが、非開示通知用データとして設定されていた場合の画面例である。開示が制限されている３箇所の色等を変えて、制限データの一部が非開示であることを通知している。１つの制限データの開示状態が開示に更新されると、その制限データに対応した開示通知用データ（例えば、色等を変更したイメージデータ）が表示される。
【０１５２】
図１７（ｄ）は、コンテンツデータＣのうち、一部の開示が制限されていること示すイメージデータが、非開示通知用データとして設定されていた場合の画面例である。これは、図１７（ｃ）と同様に、音楽データや動画データ等において、特定の再生位置の開示が制限されていることを示す場合に有効である。１つの制限データの開示状態が開示に更新されると、その制限データに対応した開示通知用データ（例えば、開錠を示す鍵状アイコンのイメージデータ）が表示される。
【０１５３】
図１８は、図１７（ａ）〜図１７（ｄ）に示すコンテンツデータの一覧表示から、コンテンツデータＣを表示したときの画面例である。
【０１５４】
図示しているように、３つの制限データの開示状態が全て非開示であるため、コンテンツデータＣのイメージデータが全く表示されないものとする。
【０１５５】
図１９（ａ）〜図１９（ｃ）は、３つの制限データの開示状態に応じたコンテンツデータＣの表示例である。
【０１５６】
図１９（ａ）は、３つの制限データのうち、制限データ部１が開示されたときのコンテンツデータＣの表示例である。
【０１５７】
制限データ部１に対応する開示条件が満たされると、制限データ部１の実データであるイメージデータが、画面中央より左寄りに表示されるものとする。
【０１５８】
図１９（ｂ）は、３つの制限データのうち、制限データ部２が開示されたときのコンテンツデータＣの表示例である。
【０１５９】
制限データ部２に対応する開示条件が満たされると、制限データ部２の実データであるイメージデータが、画面中央に表示されるものとする。
【０１６０】
図１９（ｃ）は、３つの制限データのうち、制限データ部３が開示されたときのコンテンツデータＣの表示例である。
【０１６１】
制限データ部３に対応する開示条件が満たされると、制限データ部３の実データであるイメージデータが、画面中央より右寄りに表示されるものとする。
【０１６２】
図２０は、制限データ部１〜３の開示条件が全て満たされたときのコンテンツデータＣの表示例であり、制限データ部１〜３の実データであるイメージデータが全て表示される。
【０１６３】
なお、図２１に示すように、開示条件を同一のコンテンツデータ内にある制限データの開示状態と関連付けて設定してもよい。これにより、例えば図２１に示すように、制限データ部２を開示するためには制限データ部１が開示されていることが条件であり、又、制限データ部３を開示するためには制限データ部２が開示されていることが条件であるため、制限データの開示順序を制御することができる。
【０１６４】
図２２（ａ）〜図２２（ｃ）は、図２１に示すコンテンツデータＤの、３つの制限データの開示状態に応じた表示変化を示す画面例である。
【０１６５】
図２２（ａ）は、制限データ部１が開示されたときのコンテンツデータＤの表示例である。
【０１６６】
図２２（ｂ）は、制限データ部２が開示されたときのコンテンツデータＤの表示例である。
【０１６７】
図２２（ｃ）は、制限データ部３が開示されたときのコンテンツデータＤの表示例である。
【０１６８】
図２２（ａ）〜図２２（ｃ）に示すように、制限データ部１、制限データ部２、制限データ部３を順々に開示していくに従って、市松模様の透過度が段階的に上がり、市松模様に隠れた携帯電話機のイメージデータが明確に認識できるようになる。
【０１６９】
なお、図２２（ａ）〜図２２（ｃ）に示したように、制限データの開示状態に応じて段階的に、コンテンツデータＤの表示を変化させてもよいし、３つの制限データ全ての開示状態が開示になったときに図２２（ｃ）に示す画面を表示するようにしてもよい。
【０１７０】
なお、また、図２３及び図２４に示すように、制限データの開示条件に、他のコンテンツに含まれる開示条件クリア状態を関連付けて設定できるようにしてもよい。
【０１７１】
以上のように、本実施の形態３における携帯電話機１０又はコンテンツサーバ１００によれば、同一のコンテンツデータ内に複数の制限データを有していることを通知したり、他のコンテンツデータと関連を持たせることにより、コンテンツデータに制限データが含まれていることを予め認識させ、制限データに対する期待感を持たせて、コンテンツデータの閲覧、視聴又は購入等の意欲を促進させることができる。
【０１７２】
なお、上記実施の形態における制限データの開示条件として、携帯電話機やコンテンツサーバにおけるゲームのクリア、クイズ等の回答数や回答時間等を設定するようにしてもよい。
【０１７３】
なお、また、上記実施の形態における携帯電話機は、制限データの開示状態が開示になったことをコンテンツ提供側もしくはそれに準じる業者等のサーバに識別番号と共に通知するようにしてもよい。これにより、コンテンツ提供側は、制限データの開示状況を同期的に把握でき、開示率の低い制限データを開示するためのヒント等の情報を携帯電話機側へ配信したり、開示するまでの時間に応じたユーザランキング等を配信したりすることができる。
【０１７４】
本発明を詳細にまた特定の実施態様を参照して説明したが、本発明の精神と範囲を逸脱することなく様々な変更や修正を加えることができることは当業者にとって明らかである。
本出願は、2005年11月2日出願の日本特許出願（特願2005-319078）、に基づくものであり、その内容はここに参照として取り込まれる。
【産業上の利用可能性】
【０１７５】
以上のように、本発明にかかる情報通信装置、サーバ及びコンテンツ提示方法は、コンテンツデータに制限データが含まれていることを予め認識させ、制限データに対する期待感を持たせて、コンテンツデータの閲覧、視聴又は購入等の意欲を促進させることができるという効果を有し、テキスト、画像、音楽及び動画等のコンテンツデータを扱う携帯電話機、パソコン、ＰＤＡ等として有用である。
【図面の簡単な説明】
【０１７６】
【図１】本発明の実施の形態１における携帯電話機１０の構成を示すブロック図
【図２】本発明の実施の形態１におけるコンテンツデータのデータフォーマットを示す図
【図３】本発明の実施の形態１における携帯電話機１０の処理手順を示すフローチャート
【図４】本発明の実施の形態１における携帯電話機１０の処理手順を示すフローチャート
【図５】本発明の実施の形態１における携帯電話機１０の処理手順を示すフローチャート
【図６】本発明の実施の形態１における開示情報管理手段５０に登録されているコンテンツデータＡの開示情報を示す図
【図７】本発明の実施の形態１における携帯電話機１０の処理手順を示すフローチャート
【図８】本発明の実施の形態１において制限データの開示状態が非開示である場合にコンテンツデータの一覧表示を行ったときの画面例を示す図
【図９】本発明の実施の形態１において制限データの開示状態が非開示である場合にコンテンツデータＡの表示を行ったときの画面例を示す図
【図１０】本発明の実施の形態１における開示情報管理手段５０に登録されているコンテンツデータＡの開示情報を示す図
【図１１】本発明の実施の形態１において制限データの開示状態が開示である場合にコンテンツデータの一覧表示を行ったときの画面例を示す図
【図１２】本発明の実施の形態１において制限データの開示状態が開示である場合にコンテンツデータＡの表示を行ったときの画面例を示す図
【図１３】本発明の実施の形態２におけるコンテンツサーバ１００の構成を示すブロック図
【図１４】本発明の実施の形態２における開示情報管理手段５０に登録されているコンテンツデータＢの開示情報を示す図
【図１５】本発明の実施の形態２における開示情報管理手段５０に登録されているコンテンツデータＢの開示情報を示す図
【図１６】本発明の実施の形態３における開示情報管理手段５０に登録されているコンテンツデータＣの開示情報を示す図
【図１７】本発明の実施の形態３において制限データの開示状態が非開示である場合にコンテンツデータの一覧表示を行ったときの画面例を示す図
【図１８】本発明の実施の形態３において制限データの開示状態が全て非開示である場合にコンテンツデータＣの表示を行ったときの画面例を示す図
【図１９】本発明の実施の形態３において制限データの開示状態が一部開示である場合にコンテンツデータＣの表示を行ったときの画面例を示す図
【図２０】本発明の実施の形態３において制限データの開示状態が全て開示である場合にコンテンツデータＣの表示を行ったときの画面例を示す図
【図２１】本発明の実施の形態３における開示情報管理手段５０に登録されているコンテンツデータＤの開示情報を示す図
【図２２】本発明の実施の形態３において制限データの開示状態が変化したときの画面例を示す図
【図２３】本発明の実施の形態３における開示情報管理手段５０に登録されているコンテンツデータＥ、Ｆ、Ｇの開示情報を示す図
【図２４】本発明の実施の形態３における開示情報管理手段５０に登録されているコンテンツデータＨ、Ｉ、Ｊの開示情報を示す図
【符号の説明】
【０１７７】
１０  携帯電話機
２０  コンテンツ入力手段
３０  コンテンツ解析手段
４０  コンテンツ制御手段
５０  開示情報管理手段
６０  条件検出手段
７０  出力手段
８０  表示手段
９０  通信手段
１００  コンテンツサーバ
Ａ、Ｂ、Ｃ、Ｄ、Ｅ、Ｆ、Ｇ、Ｈ、Ｉ、Ｊ  コンテンツデータ
Ｒ２１１、Ｒ２１２、Ｒ２２１、Ｒ２２２、Ｒ２２３  レコード
Ｒ２２４、Ｒ２２５、Ｒ２３１、Ｒ２３２、Ｒ２４１  レコード
Ｒ６１１、Ｒ１０１１、Ｒ１４１１、Ｒ１５１１  レコード
Ｒ１６１１、Ｒ１６１２、Ｒ１６１３  レコード
Ｒ２１１１、Ｒ２１１２、Ｒ２１１３  レコード
Ｒ２３１１、Ｒ２３２１、Ｒ２３３１  レコード
Ｒ２４１１、Ｒ２４１２、Ｒ２４１３  レコード
Ｒ２４２１、Ｒ２４２２、Ｒ２４２３  レコード
Ｒ２４３１、Ｒ２４３２、Ｒ２４３３  レコード
【手続補正３】
【補正対象書類名】図面
【補正対象項目名】全図
【補正方法】変更
【補正の内容】
【図１】
2007052373.tif 000027
【図２】
2007052373.tif 000028
【図３】
2007052373.tif 000029
【図４】
2007052373.tif 000030
【図５】
2007052373.tif 000031
【図６】
2007052373.tif 000032
【図７】
2007052373.tif 000033
【図８】
2007052373.tif 000034
【図９】
2007052373.tif 000035
【図１０】
2007052373.tif 000036
【図１１】
2007052373.tif 000037
【図１２】
2007052373.tif 000038
【図１３】
2007052373.tif 000039
【図１４】
2007052373.tif 000040
【図１５】
2007052373.tif 000041
【図１６】
2007052373.tif 000042
【図１７】
2007052373.tif 000043
【図１８】
2007052373.tif 000044
【図１９】
2007052373.tif 000045
【図２０】
2007052373.tif 000046
【図２１】
2007052373.tif 000047
【図２２】
2007052373.tif 000048
【図２３】
2007052373.tif 000049
【図２４】
2007052373.tif 000050
【国際調査報告】
2007052373.tif 000051
2007052373.tif 000052